(57)【特許請求の範囲】
【請求項１】
無線送受信機を有するユーザ設備によって無線通信ネットワークを選択する方法であって、該方法は、
メモリ内に、国内ネットワークＩＤ、優先ローミングネットワークＩＤのユーザ制御リストおよび優先ローミングネットワークＩＤのオペレータ制御リストを格納するアクトと、
該ユーザ設備の国内通信ネットワークから該無線送受信機を介して、メッセージにおいて操舵ネットワークＩＤを受信し、メモリ内に、該オペレータ制御リスト内の少なくとも１つのネットワークＩＤの代わりに使用されるように該操舵ネットワークＩＤを格納するアクトと、
ローミングのときに該ユーザ設備により用いられる自動ネットワーク選択手順において、選択に優先順位を付けて、ユーザ通信のために該操舵ネットワークＩＤに対応する無線通信ネットワークで動作しようと試みるアクトと
を包含し、
該試みるアクトは、
該無線送受信機を用いて走査動作を実行して、該ユーザ設備のカバー範囲エリア内で１つ以上の利用可能な無線通信ネットワークに対応する１つ以上のネットワークＩＤを受信することと、
該走査動作からの該１つ以上の受信されたネットワークＩＤを、該操舵ネットワークＩＤと比較することと、
受信されたネットワークＩＤと該操舵ネットワークＩＤとの間での合致が、該比較するアクトから確認された場合、該操舵ネットワークＩＤと合致する該受信されたネットワークＩＤに対応する無線通信ネットワークを選択して登録することと、
該操舵ネットワークＩＤに対応する該無線通信ネットワークを選択しようとする試みが不成功の場合に、
該１つ以上の受信されたネットワークＩＤと、該オペレータ制御リストからの次に優先順位の高いネットワークＩＤとを比較することと、
該１つ以上の受信されたネットワークＩＤのうちの１つと該オペレータ制御リストからのネットワークＩＤのうちの１つとの間での合致が、該比較するアクトから確認された場合、該オペレータ制御リストからの該ネットワークＩＤに合致する該受信されたネットワークＩＤに対応する無線通信ネットワークを選択して登録することと
によって、該オペレータ制御リストからの該次に優先順位の高いネットワークＩＤを使用して無線通信ネットワークを選択しようと試みることと
により実行される、方法。
【請求項２】
前記操舵ネットワークＩＤを受信するアクトは、ショートメッセージサービス（ＳＭＳ）メッセージを含むメッセージにおいて前記操舵ネットワークＩＤを受信するさらなるアクトを包含する、請求項１に記載の方法。
【請求項３】
前記オペレータ制御リストは、オペレータ制御優先公衆陸上移動網（ＰＰＬＭＮ）リストを含む、請求項１に記載の方法。
【請求項４】
前記ユーザ設備により用いられる前記自動ネットワーク選択手順において、前記操舵ネットワークＩＤを使用して無線通信ネットワークを選択しようと試みる前に、
前記１つ以上の受信されたネットワークＩＤと、前記ユーザ制御リストからのネットワークＩＤとを比較することと、
該１つ以上の受信されたネットワークＩＤのうちの１つと、該ユーザ制御リストからのネットワークＩＤとの間での合致が、該比較するアクトから確認された場合、該ユーザ制御リストからの該ネットワークＩＤと合致する該受信されたネットワークＩＤに対応する無線通信ネットワークを選択して登録することと
によって、該ユーザ制御リストを使用して無線通信ネットワークを選択しようと試みるアクトをさらに包含する、請求項１に記載の方法。
【請求項５】
前記操舵ネットワークＩＤを受信するとすぐに、該操舵ネットワークＩＤに対応する前記無線通信ネットワークを選択するように試みる、請求項１に記載の方法。
【請求項６】
前記国内ネットワークＩＤ、前記オペレータ制御リストおよびユーザ制御リスト、ならびに、前記操舵ネットワークＩＤは、前記ユーザ設備の加入者識別モジュールまたはユニバーサル加入者識別モジュール内に格納される、請求項１に記載の方法。
【請求項７】
前記操舵ネットワークＩＤが利用不能であることを前記ユーザ設備内に格納されたビットインディケータが示す場合、どの操舵ネットワークＩＤも使用せずに前記自動ネットワーク選択手順を実行することをさらに包含する、請求項１に記載の方法。
【請求項８】
現在の国コードと異なる国コードを前記走査動作から受信することと、
該現在の国コードと異なる該国コードを受信することに基づいて、前記操舵ネットワークＩＤをメモリからクリアすることと
をさらに包含する、請求項１に記載の方法。
【請求項９】
無線送受信機と、
該無線送受信機に結合された１つ以上のプロセッサと、
該１つ以上のプロセッサに結合された取り外し可能なメモリモジュールインターフェースと
を備える、移動設備であって、
該取り外し可能なメモリモジュールインターフェースは、国内ネットワークＩＤ、優先ローミングネットワークＩＤのユーザ制御リストおよび優先ローミングネットワークＩＤのオペレータ制御リストを格納する取り外し可能なメモリモジュールを受け取るように適合され、
該１つ以上のプロセッサは、該移動設備の国内通信ネットワークから該無線送受信機を介して、該オペレータ制御リスト内のネットワークＩＤの代わりに使用されるようにメモリ内に格納される操舵ネットワークＩＤを受信するように適合され、
該１つ以上のプロセッサは、選択に優先順位を付けてユーザ通信のために該操舵ネットワークＩＤに対応する無線通信ネットワークで動作しようと試みることによって、ローミングのときに自動ネットワーク選択手順を実行するようにさらに適合され、
該試みることは、
走査動作を実行して、ユーザ設備のカバー範囲エリア内で１つ以上の利用可能な無線通信ネットワークに対応する１つ以上のネットワークＩＤを受信することと、
該走査動作からの該１つ以上の受信されたネットワークＩＤを、該操舵ネットワークＩＤと比較することと、
受信されたネットワークＩＤと該操舵ネットワークＩＤとの間での合致が、該比較するアクトから確認された場合、該操舵ネットワークＩＤと合致する該受信されたネットワークＩＤに対応する無線通信ネットワークを選択して登録することと、
該操舵ネットワークＩＤに対応する該無線通信ネットワークを選択しようとする試みが不成功の場合に、
該１つ以上の受信されたネットワークＩＤと、該オペレータ制御リストからの次に優先順位の高いネットワークＩＤとを比較することと、
該１つ以上の受信されたネットワークＩＤのうちの１つと該オペレータ制御リストからのネットワークＩＤのうちの１つとの間での合致が、該比較するアクトから確認された場合、該オペレータ制御リストからの該ネットワークＩＤに合致する該受信されたネットワークＩＤに対応する無線通信ネットワークを選択して登録することと
によって、該オペレータ制御リストからの該次に優先順位の高いネットワークＩＤを使用して無線通信ネットワークを選択しようと試みることと
により実行される、移動設備。
【請求項１０】
各ネットワークＩＤは、公衆陸上移動網（ＰＬＭＮ）に対応し、前記ユーザ制御リストは、ユーザ制御優先ＰＬＭＮ（ＰＰＬＭＮ）リストであり、前記オペレータ制御リストは、オペレータ制御ＰＰＬＭＮリストである、請求項９に記載の移動設備。
【請求項１１】
前記１つ以上のプロセッサは、ショートメッセージサービス（ＳＭＳ）メッセージを含むメッセージにおいて前記操舵ネットワークＩＤを受信することによって該操舵ネットワークＩＤを受信するように適合される、請求項９に記載の移動設備。
【請求項１２】
前記１つ以上のプロセッサが、
前記操舵ネットワークＩＤを使用して無線通信ネットワークを選択しようと試みる前に、
前記１つ以上の受信されたネットワークＩＤと、前記ユーザ制御リストからのネットワークＩＤとを比較することと、
該１つ以上の受信されたネットワークＩＤのうちの１つと、該ユーザ制御リストからのネットワークＩＤとの間での合致が、該比較するアクトから確認された場合、該ユーザ制御リストからの該ネットワークＩＤと合致する該受信されたネットワークＩＤに対応する無線通信ネットワークを選択して登録することと
によって、該ユーザ制御リストを使用して無線通信ネットワークを選択しようと試みることによって、ローミングのときに前記自動ネットワーク選択手順を実行するようにさらに適合されることをさらに含む、請求項９に記載の移動設備。
【請求項１３】
前記１つ以上のプロセッサは、前記操舵ネットワークＩＤを受信するとすぐに、該操舵ネットワークＩＤに対応する前記無線通信ネットワークを選択するように試みるようにさらに適合される、請求項９に記載の移動設備。
【請求項１４】
前記取り外し可能なメモリモジュールは、加入者識別モジュールまたはユニバーサル加入者識別モジュールを備える、請求項９に記載の移動設備。
【請求項１５】
前記１つ以上のプロセッサは、
前記操舵ネットワークＩＤが利用不能であることを前記ユーザ設備内に格納されたビットインディケータが示す場合、どの操舵ネットワークＩＤも使用せずに前記自動ネットワーク選択手順を実行するようにさらに適合される、請求項９に記載の移動設備。
【請求項１６】
前記１つ以上のプロセッサは、
現在の国コードと異なる国コードを前記走査動作から受信することと、
該現在の国コードと異なる該国コードを受信することに基づいて、前記操舵ネットワークＩＤをクリアすることと
により前記自動ネットワーク選択手順を実行するようにさらに適合される、請求項９に記載の移動設備。
【請求項１７】
移動設備用の取り外し可能なメモリモジュールであって、
メモリと、
該メモリ内に、国内ネットワークＩＤを格納するためのファイルと、
該メモリ内に、優先ローミングネットワークＩＤのユーザ制御リストを格納するためのファイルと、
該メモリ内に、優先ローミングネットワークＩＤのオペレータ制御リストを格納するためのファイルと、
該メモリ内に、該オペレータ制御リスト内の少なくとも１つのネットワークＩＤの代わりに使用され、該オペレータ制御リスト内のネットワークＩＤより前にローミングのときに該移動設備によるネットワーク選択のために使用される操舵ネットワークＩＤを格納するためのファイルと
を備える、取り外し可能なメモリモジュール。
【請求項１８】
前記操舵ネットワークＩＤは、前記移動設備の無線送受信機を介して国内通信ネットワークからプログラム可能である、請求項１７に記載の取り外し可能なメモリモジュール。
【請求項１９】
加入者識別モジュールまたはユニバーサル加入者識別モジュールを備える、請求項１７に記載の取り外し可能なメモリモジュール。
【請求項２０】
各ネットワークＩＤは、移動ネットワークコードおよび移動国コードを備える、請求項１７に記載の取り外し可能なメモリモジュール。
【請求項２１】
前記ユーザ制御リストは、ユーザ制御優先公衆陸上移動網（ＰＰＬＭＮ）リストであり、前記オペレータ制御リストは、オペレータ制御ＰＰＬＭＮリストである、請求項１７に記載の取り外し可能なメモリモジュール。
【請求項２２】
無線通信ネットワークのネットワーク設備によって、ユーザ設備を操舵無線通信ネットワークに操舵するのに使用する方法であって、該無線通信ネットワークは、該ユーザ設備の国内通信ネットワークであり、該ユーザ設備は、国内ネットワークＩＤ、優先ネットワークＩＤのユーザ制御リストおよび優先ネットワークＩＤのオペレータ制御リストを使用して動作するように構成され、該方法は、
該ユーザ設備が複数の地域のうちの１つの地域で動作することを、当該地域の無線通信ネットワークを介して確認するアクトと、
該地域の操舵無線通信ネットワークに対応する操舵ネットワークＩＤを、該無線通信ネットワークを介して該ユーザ設備に送信させるアクトであって、それによりユーザ通信用の該ユーザ設備の自動ネットワーク選択手順において該操舵無線通信ネットワークが選択されるようにし、該操舵ネットワークＩＤは、該オペレータ制御リスト内のネットワークＩＤの代わりに使用され、該自動ネットワーク選択手順において、該オペレータ制御リスト内のネットワークＩＤであって、該操舵ネットワークＩＤに対応する該無線通信ネットワークを選択しようとする試みが不成功の場合に該自動ネットワーク選択手順において使用されるネットワークＩＤより優先順位が高い、アクトと
を包含する、方法。
【請求項２３】
前記ユーザ設備の前記自動ネットワーク選択手順は、ユーザ通信用の前記オペレータ制御リストを使用して無線通信ネットワークを選択して動作する代わりに、該ユーザ通信用の前記操舵ネットワークＩＤに対応する前記無線通信ネットワークを選択する、請求項２２に記載の方法。
【請求項２４】
前記操舵ネットワークＩＤは、前記操舵無線通信ネットワークに対応する移動ネットワークコードおよび移動国コードを備える、請求項２２に記載の方法。
【請求項２５】
前記操舵ネットワークＩＤを送信されるアクトは、該操舵ネットワークＩＤを含むショートメッセージサービス（ＳＭＳ）メッセージを送信させるさらなるアクトを包含する、請求項２２に記載の方法。
【請求項２６】
前記無線通信ネットワークは、訪問国無線通信ネットワークであり、前記地域は、ローミング地域である、請求項２２に記載の方法。
【請求項２７】
コンピュータ可読媒体と、前記ネットワーク設備の１つ以上のプロセッサによって実行可能な該コンピュータ可読媒体内に格納されたコンピュータプログラム命令とを備えるコンピュータプログラム製品として具現化される、請求項２２に記載の方法。
【請求項２８】
無線通信ネットワーク用のネットワーク設備であって、
該無線通信ネットワークは、国内ネットワークＩＤ、優先ネットワークＩＤのユーザ制御リストおよび優先ネットワークＩＤのオペレータ制御リストを使用して動作するように構成されるユーザ設備の国内通信ネットワークであり、該ネットワーク設備は、
該ユーザ設備が複数の地域のうちの１つの地域で動作していることを、当該地域の無線通信ネットワークを介して確認することと、
該地域の操舵無線通信ネットワークに対応する操舵ネットワークＩＤを、該無線通信ネットワークを介して該ユーザ設備に送信させることであって、それによりユーザ通信用の該ユーザ設備の自動ネットワーク選択手順において該操舵無線通信ネットワークが選択されるようにし、該操舵ネットワークＩＤは、該オペレータ制御リスト内のネットワークＩＤの代わりに使用され、該自動ネットワーク選択手順において、該オペレータ制御リスト内のネットワークＩＤであって、該操舵ネットワークＩＤに対応する該無線通信ネットワークを選択しようとする試みが不成功の場合に該自動ネットワーク選択手順において使用されるネットワークＩＤより優先順位が高い、ことと
を行うように構成される、ネットワーク設備。
【請求項２９】
前記自動ネットワーク選択手順は、前記ユーザ通信用の前記オペレータ制御リストを使用する代わりに、該ユーザ通信用の前記操舵ネットワークＩＤに対応する前記無線通信ネットワークを選択して動作しようと試みる、請求項２８に記載のネットワーク設備。
【請求項３０】
前記操舵ネットワークＩＤは、前記操舵無線通信ネットワークに対応する移動ネットワークコードおよび移動国コードを備える、請求項２８に記載のネットワーク設備。
【請求項３１】
前記操舵ネットワークＩＤを送信させるアクトは、該操舵ネットワークＩＤを含むショートメッセージサービス（ＳＭＳ）メッセージを送信させるさらなるアクトを包含する、請求項２８に記載のネットワーク設備。
【請求項３２】
前記操舵ネットワークＩＤを送信させるアクトは、該操舵ネットワークＩＤを含む無線ダウンロードメッセージを送信させるさらなるアクトを包含する、請求項２８に記載のネットワーク設備。
【請求項３３】
前記無線通信ネットワークは、訪問国無線通信ネットワークであり、前記地域は、ローミング地域である、請求項２８に記載のネットワーク設備。
【請求項３４】
前記操舵ネットワークＩＤは、前記ユーザ設備に対する自動ネットワーク選択手順で使用するためのものであり、該手順は、
前記ユーザ通信用の前記オペレータ制御リストを使用して無線通信ネットワークを選択しようと試みる代わりに、
走査動作を実行して、該ユーザ設備のカバー範囲エリア内で１つ以上の利用可能な無線通信ネットワークに対応する１つ以上のネットワークＩＤを受信することと、
該走査動作からの該１つ以上の受信されたネットワークＩＤを、該操舵ネットワークＩＤと比較することと、
受信されたネットワークＩＤと該操舵ネットワークＩＤとの間での合致が、該比較するアクトから確認された場合、該操舵ネットワークＩＤと合致する該受信されたネットワークＩＤに対応する無線通信ネットワークを選択して登録することと
により、該ユーザ通信用の該操舵ネットワークＩＤを使用して前記操舵無線通信ネットワークを選択しようと試みるアクトを包含する、請求項２８に記載のネットワーク設備。
【請求項３５】
複数の異なるローミング地域とそれぞれ関連する複数の異なる操舵ネットワークＩＤを格納するデータベースをさらに備える、請求項２８に記載のネットワーク設備。
【請求項３６】
前記操舵ネットワークＩＤは、前記オペレータ制御リスト内の最高の優先順位のオペレータ制御ネットワークＩＤの代わりに使用される、請求項１〜３５のいずれか一項に記載の方法、移動設備、取り外し可能なメモリモジュールまたはネットワーク設備。
【請求項３７】
前記操舵ネットワークＩＤは、前記優先ネットワークＩＤの前記オペレータ制御リスト内の最高の優先順位のオペレータ制御ネットワークＩＤとして格納される、請求項１〜３６のいずれか一項に記載の方法、移動設備、取り外し可能なメモリモジュールまたはネットワーク設備。
【請求項３８】
前記操舵ネットワークＩＤは、加入者識別モジュール（ＳＩＭ）またはユニバーサル加入者識別モジュール（ＵＳＩＭ）において格納され、次いで、該ＳＩＭまたは該ＵＳＩＭからコピーされてＵＥ内の別のメモリに格納される、請求項１〜３７のいずれか一項に記載の方法、移動設備、取り外し可能なメモリモジュールまたはネットワーク設備。
【請求項３９】
無線送受信機を有するユーザ設備によって無線通信ネットワークを選択する方法であって、該方法は、
国内ネットワークＩＤ、優先ローミングネットワークＩＤのユーザ制御リストおよび優先ローミングネットワークＩＤのオペレータ制御リストを格納するメモリへのアクセスを維持するアクトと、
無線プログラミング手順で、該ユーザ設備の国内通信ネットワークから該無線送受信機を介して、メッセージにおいて操舵ネットワークＩＤを受信し、該メモリ内に、該オペレータ制御リスト内の少なくとも１つのネットワークＩＤの代わりに使用するために該操舵ネットワークＩＤを格納するアクトであって、該無線プログラミング手順は、優先順位の付けられたローミングネットワークＩＤの全オペレータ制御リストの受信および更新をすることなく実行される、アクトと、
ローミングのときに該ユーザ設備により用いられる自動ネットワーク選択手順において、選択に優先順位を付けて、ユーザ通信のために該操舵ネットワークＩＤに対応する無線通信ネットワークで動作しようと試みるアクトと
を包含し、
該試みるアクトは、
該無線送受信機を用いて走査動作を実行して、該ユーザ設備のカバー範囲エリア内で１つ以上の利用可能な無線通信ネットワークに対応する１つ以上のネットワークＩＤを受信することと、
該走査動作からの該１つ以上の受信されたネットワークＩＤを、該操舵ネットワークＩＤと比較することと、
受信されたネットワークＩＤと該操舵ネットワークＩＤとの間での合致が、該比較するアクトから確認された場合、該操舵ネットワークＩＤと合致する該受信されたネットワークＩＤに対応する無線通信ネットワークを選択して登録することと、
該操舵ネットワークＩＤに対応する該無線通信ネットワークを選択しようとする試みが不成功の場合に、
該１つ以上の受信されたネットワークＩＤと、該オペレータ制御リストからの次に優先順位の高いネットワークＩＤとを比較することと、
該１つ以上の受信されたネットワークＩＤのうちの１つと該オペレータ制御リストからのネットワークＩＤのうちの１つとの間での合致が、該比較するアクトから確認された場合、該オペレータ制御リストからの該ネットワークＩＤに合致する該受信されたネットワークＩＤに対応する無線通信ネットワークを選択して登録することと
によって、該オペレータ制御リストからの該次に優先順位の高いネットワークＩＤを使用して無線通信ネットワークを選択しようと試みることと
により実行される、方法。
【請求項４０】
前記操舵ネットワークＩＤを受信するアクトは、ショートメッセージサービス（ＳＭＳ）メッセージを含むメッセージにおいて前記操舵ネットワークＩＤを受信するさらなるアクトを包含する、請求項３９に記載の方法。
【請求項４１】
前記オペレータ制御リストは、オペレータ制御優先公衆陸上移動網（ＰＰＬＭＮ）リストを含む、請求項３９に記載の方法。
【請求項４２】
前記ユーザ設備により用いられる前記自動ネットワーク選択手順において、前記操舵ネットワークＩＤを使用して無線通信ネットワークを選択しようと試みる前に、
前記１つ以上の受信されたネットワークＩＤと、前記ユーザ制御リストからのネットワークＩＤとを比較することと、
該１つ以上の受信されたネットワークＩＤのうちの１つと、該ユーザ制御リストからのネットワークＩＤとの間での合致が、該比較するアクトから確認された場合、該ユーザ制御リストからの該ネットワークＩＤと合致する該受信されたネットワークＩＤに対応する無線通信ネットワークを選択して登録することと
によって、該ユーザ制御リストを使用して無線通信ネットワークを選択しようと試みるアクトをさらに包含する、請求項３９に記載の方法。
【請求項４３】
前記操舵ネットワークＩＤを受信するとすぐに、該操舵ネットワークＩＤに対応する前記無線通信ネットワークを選択するように試みる、請求項３９に記載の方法。
【請求項４４】
前記国内ネットワークＩＤ、前記オペレータ制御リストおよびユーザ制御リスト、ならびに、前記操舵ネットワークＩＤは、前記ユーザ設備の加入者識別モジュールまたはユニバーサル加入者識別モジュール内に格納される、請求項３９に記載の方法。
【請求項４５】
前記操舵ネットワークＩＤが利用不能であることを前記ユーザ設備内に格納されたビットインディケータが示す場合、どの操舵ネットワークＩＤも使用せずに前記自動ネットワーク選択手順を実行することをさらに包含する、請求項３９に記載の方法。
【請求項４６】
現在の国コードと異なる国コードを前記走査動作から受信することと、
該現在の国コードと異なる該国コードを受信することに基づいて、前記操舵ネットワークＩＤをメモリからクリアすることと
をさらに包含する、請求項３９に記載の方法。
【請求項４７】
無線送受信機と、
該無線送受信機に結合された１つ以上のプロセッサと、
該１つ以上のプロセッサに結合された取り外し可能なメモリモジュールインターフェースと
を備える、移動設備であって、
該取り外し可能なメモリモジュールインターフェースは、国内ネットワークＩＤ、優先ローミングネットワークＩＤのユーザ制御リストおよび優先ローミングネットワークＩＤのオペレータ制御リストを格納する取り外し可能なメモリモジュールを受け取るように構成され、
該１つ以上のプロセッサは、無線プログラミング手順で、該移動設備の国内通信ネットワークから該無線送受信機を介して、該オペレータ制御リスト内の少なくとも１つのネットワークＩＤの代わりに使用するためにメモリ内に格納される操舵ネットワークＩＤを受信するように構成され、該無線プログラミング手順は、優先順位の付けられたローミングネットワークＩＤの全オペレータ制御リストの受信および更新をすることなく実行され、
該１つ以上のプロセッサは、選択に優先順位を付けてユーザ通信のために該操舵ネットワークＩＤに対応する無線通信ネットワークで動作しようと試みることによって、ローミングのときに自動ネットワーク選択手順を実行するようにさらに構成され、
該試みることは、
走査動作を実行して、ユーザ設備のカバー範囲エリア内で１つ以上の利用可能な無線通信ネットワークに対応する１つ以上のネットワークＩＤを受信することと、
該走査動作からの該１つ以上の受信されたネットワークＩＤを、該操舵ネットワークＩＤと比較することと、
受信されたネットワークＩＤと該操舵ネットワークＩＤとの間での合致が、該比較するアクトから確認された場合、該操舵ネットワークＩＤと合致する該受信されたネットワークＩＤに対応する無線通信ネットワークを選択して登録することと、
該操舵ネットワークＩＤに対応する該無線通信ネットワークを選択しようとする試みが不成功の場合に、
該１つ以上の受信されたネットワークＩＤと、該オペレータ制御リストからの次に優先順位の高いネットワークＩＤとを比較することと、
該１つ以上の受信されたネットワークＩＤのうちの１つと該オペレータ制御リストからのネットワークＩＤのうちの１つとの間での合致が、該比較するアクトから確認された場合、該オペレータ制御リストからの該ネットワークＩＤに合致する該受信されたネットワークＩＤに対応する無線通信ネットワークを選択して登録することと
によって、該オペレータ制御リストからの該次に優先順位の高いネットワークＩＤを使用して無線通信ネットワークを選択しようと試みることと
により実行される、移動設備。
【請求項４８】
各ネットワークＩＤは、公衆陸上移動網（ＰＬＭＮ）に対応し、前記ユーザ制御リストは、ユーザ制御優先ＰＬＭＮ（ＰＰＬＭＮ）リストであり、前記オペレータ制御リストは、オペレータ制御ＰＰＬＭＮリストである、請求項４７に記載の移動設備。
【請求項４９】
前記１つ以上のプロセッサは、ショートメッセージサービス（ＳＭＳ）メッセージを含むメッセージにおいて前記操舵ネットワークＩＤを受信することによって該操舵ネットワークＩＤを受信するように構成される、請求項４７に記載の移動設備。
【請求項５０】
前記１つ以上のプロセッサが、
前記操舵ネットワークＩＤを使用して無線通信ネットワークを選択しようと試みる前に、
前記１つ以上の受信されたネットワークＩＤと、前記ユーザ制御リストからのネットワークＩＤとを比較することと、
該１つ以上の受信されたネットワークＩＤのうちの１つと、該ユーザ制御リストからのネットワークＩＤとの間での合致が、該比較するアクトから確認された場合、該ユーザ制御リストからの該ネットワークＩＤと合致する該受信されたネットワークＩＤに対応する無線通信ネットワークを選択して登録することと
によって、該ユーザ制御リストを使用して無線通信ネットワークを選択しようと試みることによって、ローミングのときに前記自動ネットワーク選択手順を実行するようにさらに構成されることをさらに含む、請求項４７に記載の移動設備。
【請求項５１】
前記１つ以上のプロセッサは、前記操舵ネットワークＩＤを受信するとすぐに、該操舵ネットワークＩＤに対応する前記無線通信ネットワークを選択するように試みるようにさらに構成される、請求項４７に記載の移動設備。
【請求項５２】
前記取り外し可能なメモリモジュールは、加入者識別モジュールまたはユニバーサル加入者識別モジュールを備える、請求項４７に記載の移動設備。
【請求項５３】
前記１つ以上のプロセッサは、
前記操舵ネットワークＩＤが利用不能であることを前記ユーザ設備内に格納されたビットインディケータが示す場合、どの操舵ネットワークＩＤも使用せずに前記自動ネットワーク選択手順を実行するようにさらに構成される、請求項４７に記載の移動設備。
【請求項５４】
前記１つ以上のプロセッサは、
現在の国コードと異なる国コードを前記走査動作から受信することと、
該現在の国コードと異なる該国コードを受信することに基づいて、前記操舵ネットワークＩＤをクリアすることと
により前記自動ネットワーク選択手順を実行するようにさらに構成される、請求項４７に記載の移動設備。
【請求項５５】
移動設備用の取り外し可能なメモリモジュールであって、
メモリと、
該メモリ内に、国内ネットワークＩＤを格納するためのファイルと、
該メモリ内に、優先ローミングネットワークＩＤのユーザ制御リストを格納するためのファイルと、
該メモリ内に、優先ローミングネットワークＩＤのオペレータ制御リストを格納するためのファイルと
を備え、
該メモリは、該オペレータ制御リスト内の少なくとも１つのネットワークＩＤの代わりに使用するため、および該オペレータ制御リスト内のネットワークＩＤの使用の前にローミングのときに該移動設備によるネットワーク選択のための操舵ネットワークＩＤを格納するようにさらに構成され、
該メモリは、無線プログラミング手順で更新されるようにさらに構成され、
該無線プログラミング手順内では、該操舵ネットワークＩＤは、優先順位の付けられたローミングネットワークＩＤの全オペレータ制御リストを受信および更新することなしに受信および更新される、取り外し可能なメモリモジュール。
【請求項５６】
前記操舵ネットワークＩＤは、前記移動設備の無線送受信機を介して国内通信ネットワークからプログラム可能である、請求項５５に記載の取り外し可能なメモリモジュール。
【請求項５７】
加入者識別モジュールまたはユニバーサル加入者識別モジュールを備える、請求項５５に記載の取り外し可能なメモリモジュール。
【請求項５８】
各ネットワークＩＤは、移動ネットワークコードおよび移動国コードを備える、請求項５５に記載の取り外し可能なメモリモジュール。
【請求項５９】
前記ユーザ制御リストは、ユーザ制御優先公衆陸上移動網（ＰＰＬＭＮ）リストであり、前記オペレータ制御リストは、オペレータ制御ＰＰＬＭＮリストである、請求項５５に記載の取り外し可能なメモリモジュール。
【請求項６０】
ユーザ設備によるネットワーク選択の方法であって、該方法は、
優先順位の付けられたローミングネットワークＩＤのオペレータ制御リストを含むメモリへのアクセスを維持することと、
無線プログラミング手順で受信された操舵ネットワークＩＤであって、優先順位の付けられたローミングネットワークＩＤの該オペレータ制御リスト内のネットワークＩＤの代わりに使用するために該メモリに格納された操舵ネットワークＩＤにより識別されるネットワークを選択することであって、該無線プログラミング手順は、優先順位の付けられたローミングネットワークＩＤの全オペレータ制御リストの受信および更新をすることなく実行される、ことと
を包含する、方法。
【請求項６１】
無線送受信機と、
該無線送受信機に結合された１つ以上のプロセッサと
を備える、ユーザ設備であって、
該１つ以上のプロセッサは、優先順位の付けられたローミングネットワークＩＤのオペレータ制御リストを含むメモリにアクセスするように構成され、
該１つ以上のプロセッサは、無線プログラミング手順で該無線送受信機を介して受信された操舵ネットワークＩＤであって、優先順位の付けられたローミングネットワークＩＤの該オペレータ制御リスト内のネットワークＩＤの代わりに使用するために該メモリに格納された操舵ネットワークＩＤにより識別されるネットワークを選択するようにさらに構成され、該無線プログラミング手順は、優先順位の付けられたローミングネットワークＩＤの全オペレータ制御リストの受信および更新をすることなく実行される、ユーザ設備。
【発明の詳細な説明】
【技術分野】
【０００１】
（背景）
（技術分野）
本発明は、一般的に、無線通信ネットワークで動作する移動局用の自動ネットワーク選択技術に関する。
【背景技術】
【０００２】
（関連技術の記載）
様々な理由のために、国内ネットワークオペレータ（例えば、３ＧＰＰ業界用語で、国内公衆陸上移動網、すなわち、ＨＰＬＭＮ）は、国内または海外のいずれかでローミングするとき、その加入者がどのネットワークに接続するかを動的に制御する必要があり得る。例えば、ＨＰＬＭＮのオペレータは、Ａ国でローミングするその加入者を、ネットワークＸによってサービスされるように方向付ける必要があり得る。この必要は、商業的な原因に起因し得る。そして、特定の場合において、そのローミング加入者の全員が、１つの特定のネットワークに方向付けられることを確保し、一部の契約基準が満たされることを確保することは、オペレータにとって有益なことであり得る。もう一つの理由は、ネットワークの故障状態によるものである。一時的な故障は、ある国において、ＨＰＬＭＮのローミング加入者に、そのサービスの全てを提供できないことを意味し得る。それゆえ、ＨＰＬＭＮのオペレータは、そのローミング加入者に、全範囲のサービスを提供し得る国にある他のネットワーク向けるように方向付けする必要があり得る。一例として、汎用パケット無線サービス（ＧＰＲＳ）が、ある訪問国ＰＬＭＮ（ＶＰＬＭＮ）で、一時的に利用不能になることは、今日、珍しいことではない。さらなる理由は、ネットワークの負荷分散に基づいている。例えば、ＨＰＬＭＮオペレータは、自らが、一国におけるそのローミング加入者の４０％をネットワークＸに、３５％をネットワークＹに、そして、２５％をネットワークＺにしたいと決定し得る。
【０００３】
今日の３ＧＰＰ標準は、ユーザ設備（ＵＥ）が加入者識別モジュール（ＳＩＭ）またはユニバーサル加入者識別モジュール（ＵＳＩＭ）に格納された優先ＰＬＭＮ（ＰＰＬＭＮ）リストで規定される最優先ネットワークを選択するように仕様を定めている。動的制御が、ＰＰＬＭＮリストの使用によって達成される場合、ＨＰＬＭＮオペレータは、無線（ＯＴＡ）プログラミングメカニズムを使用する各加入者に対し、ＰＰＬＭＮリスト全体を更新しなくてはならないであろう。そのためには、大量のショートメッセージサービス（ＳＭＳ）メッセージを必要とする。ローミング加入者に対し、ＰＰＬＭＮリストの全てを更新するために要する処理量が大きくなることは、防止すべきであり得る。さらに、ネットワークの負荷分散が必要とされるなら、ＨＰＬＭＮは、加入者ベースで、ＰＰＬＭＮリストを維持しなくてはならないであろう。しかしながら、このようなＰＰＬＭＮリストを維持することは、構成管理に関しての処理量を著しく増やすことになる。
【発明の開示】
【発明が解決しようとする課題】
【０００４】
ローミングしている間に、特定のネットワークに加入者を方向付ける既存の解決策は、ユーザ設備が、ＰＰＬＭＮリストごとに、ＶＰＬＭＮに対する接続を試みるときに、ＨＰＬＭＮオペレータによって、ネットワーク拒絶メッセージでごまかすことをともなう。ネットワーク拒絶メッセージは、ＨＰＬＭＮオペレータによって同定された所望のＶＰＬＭＮに達するまで、各選択されたＶＰＬＭＮを介して送信される。この技術は、ＨＰＬＭＮオペレータによって望まれる特定のＶＰＬＭＮに、ユーザ設備を方向付けるとはいえ、明らかに、このような選択が必要とされる度ごとに、ネットワークリソースを無駄に使用することをともなう。
【０００５】
したがって、必要とされているのは、これらの従来技術の欠点を克服する方法および装置である。
【課題を解決するための手段】
【０００６】
（概要）
「操舵（ｓｔｅｅｒｅｄ）」ＰＬＭＮを使用するユーザ設備によって、無線通信ネットワークを自動的に選択する方法および装置が、記載される。国内ネットワークＩＤ、優先ローミングネットワークＩＤのリスト、および、操舵ネットワークＩＤが、ユーザ設備のメモリ（例えば、ＳＩＭまたはＵＳＩＭ）内に格納される。自動ネットワーク選択手順において、走査動作は、カバー範囲エリア内で１つ以上の利用可能な無線通信ネットワークに対応する１つ以上のネットワークＩＤを受信するために実行される。ユーザ設備は、走査動作から受信されたネットワークＩＤを操舵ネットワークＩＤと比較することによって、カバー範囲エリア内の無線通信ネットワークを選択しようと試みる。受信されたネットワークＩＤと操舵ネットワークＩＤとの間での合致が確認された場合、操舵ネットワークＩＤと合致する受信されたネットワークＩＤに対応する無線通信ネットワークが、ユーザ設備によって選択され、登録される。この手順は、ユーザ設備の優先ローミングネットワークＩＤのリストを使用する代わりに、あるいは、使用する前に実行される。必要なときに（例えば、地域ごとに）、無線プログラミング手順を介する操舵ネットワークＩＤを設定することによって、国内ネットワークのオペレータは、ユーザ設備を任意の所望のネットワークに即座に、効率的に「操舵」し得る。
【０００７】
無線通信ネットワークのネットワーク設備によって、ユーザ設備を操舵無線通信ネットワークに操舵するのに使用する例示的な技術の一つは、この無線通信ネットワークがユーザ設備の国内通信ネットワークであるとき、ユーザ設備が、複数のローミング地域のうちの１つの地域で動作していることを、そのローミング地域の訪問国無線通信ネットワークを介して確認するアクトと、ローミング地域の操舵無線通信ネットワークに対応する操舵ネットワークＩＤに、訪問国無線通信ネットワークを介してユーザ設備に送信されるようにするアクトであって、こうして、ユーザ設備に対する自動ネットワーク選択手順において、操舵無線通信ネットワークが選択される、アクトとを含む。操舵ネットワークＩＤは、無線プログラミング手順のメッセージ（例えば、ショートメッセージサービス（ＳＭＳ）メッセージ）で送信され得る。操舵ネットワークＩＤをユーザ設備に提供する多数の方法は、実現可能であり、ＳＭＳに加え、この方法は、新たな信号伝達メッセージの規定、ＵＳＳＤ（Ｕｎｓｔｒｕｃｔｕｒｅｄ  Ｓｕｐｐｌｅｍｅｎｔａｒｙ  Ｓｅｒｖｉｃｅ  Ｄａｔａ）（３ＧＰＰ  ＴＳ  ２２．０９０参照）の使用、および、ＭＡＰ（Ｍｏｂｉｌｅ  Ａｐｐｌｉｃａｔｉｏｎ  Ｐａｒｔ）のような既存の信号伝達システム適用を含み得る。
【０００８】
代替的なアレンジメントにおいて、ユーザ設備は、国内通信ネットワークに情報を送信することなく、操舵ネットワークＩＤを引き出すことを可能にする情報（例えば、インターネットＵＲＬまたは他）を与えられ得る。これは、ウェブサイト、データベース、あるいは、国内通信ネットワークまたは特定の場合には第三者によって提供される他の情報ストアから引き出され得る。
【０００９】
他の追加および代替の有利な特徴が、詳細な説明で記載される。
【００１０】
本発明は、さらに、以下の手段を提供する。
【００１１】
（項目１）
ユーザ設備によって無線通信ネットワークを選択する方法であって、該方法は、
メモリ内に、国内ネットワークＩＤ、優先ローミングネットワークＩＤのユーザ制御リスト、優先ローミングネットワークＩＤのオペレータ制御リスト、ならびに、優先ローミングネットワークＩＤの該ユーザ制御リストおよび該オペレータ制御リストの部分ではなく、優先ローミングネットワークＩＤの該オペレータ制御リストより優先度の高い操舵ネットワークＩＤを格納するアクトと、
該ユーザ設備に対する自動ネットワーク選択手順において、優先ローミングネットワークＩＤの該オペレータ制御リストより優先度の高いユーザ通信用該操舵ネットワークＩＤの使用によって、無線通信ネットワークを選択して動作しようと試みるアクトと
を包含し、
該試みるアクトは、
走査動作を実行して、該ユーザ設備のカバー範囲エリア内で１つ以上の利用可能な無線通信ネットワークに対応する１つ以上のネットワークＩＤを受信することと、
該走査動作から該１つ以上の受信されたネットワークＩＤを、該操舵ネットワークＩＤと比較することと、
該受信されたネットワークＩＤと該操舵ネットワークＩＤとの間での合致が、該比較のアクトから確認された場合、該操舵ネットワークＩＤと合致する該受信されたネットワークＩＤに対応する無線通信ネットワークを選択して登録することとを行う、方法。
【００１２】
（項目２）
上記自動ネットワーク選択手順は、ローミングするときに、上記ユーザ通信用の優先ローミングネットワークＩＤの上記オペレータ制御リストを使用して、無線通信ネットワークを選択して動作することの代わりに、該ユーザ通信用の上記操舵ネットワークＩＤに対応する該無線通信ネットワークを選択して動作することによって、さらに実行される、項目１に記載の方法。
【００１３】
（項目３）
無線通信ネットワークを介して、メッセージ内の上記操舵ネットワークＩＤを受信することと、
上記メモリ内に、該操舵ネットワークＩＤを格納することと、
上記自動ネットワーク選択手順において、上記ユーザ設備がローミングするときに、上記ユーザ通信用の優先ローミングネットワークＩＤの上記オペレータ制御リストを使用して、該無線通信ネットワークを選択して動作することの代わりに、該ユーザ通信用の該操舵ネットワークＩＤに対応する該無線通信ネットワークを選択して動作することと
をさらに包含する、項目１に記載の方法。
【００１４】
（項目４）
上記ユーザ設備用の上記自動ネットワーク選択手順において、上記操舵ネットワークＩＤを使用して、無線通信ネットワークを選択しようと試みる前に、優先ネットワークＩＤの上記ユーザ制御リストを使用して、無線通信ネットワークを選択しようと試みるアクトをさらに包含し、
該試みるアクトは、
上記１つ以上の受信されたネットワークＩＤと、優先ネットワークＩＤの該ユーザ制御リストからのネットワークＩＤとを比較することと、
該１つ以上の受信されたネットワークＩＤのうちの１つと、該ユーザ制御リストからのネットワークＩＤとの間の合致が、該比較するアクトから確認された場合、優先ネットワークＩＤの該ユーザ制御リストからの該ネットワークＩＤと合致する該受信されたネットワークＩＤに対応する無線通信ネットワークを選択して登録することとを行う、項目１に記載の方法。
【００１５】
（項目５）
上記ユーザ設備用の上記自動ネットワーク選択手順において、上記操舵ネットワークＩＤを使用して、上記無線通信ネットワークを選択しようと試みて不成功に終わった後に、
優先ローミングネットワークＩＤの上記オペレータ制御リストを使用して、無線通信ネットワークを選択しようと試みるアクトをさらに包含し、
該試みるアクトは、
上記１つ以上の受信されたネットワークＩＤと、優先ローミングネットワークＩＤの該オペレータ制御リストからのネットワークＩＤとを比較することと、
該１つ以上の受信されたネットワークＩＤのうちの１つと、優先ローミングネットワークＩＤの該オペレータ制御リストからのネットワークＩＤとの間の合致が該比較するアクトから確認された場合、優先ローミングネットワークＩＤの該オペレータ制御リストからの該ネットワークＩＤと合致する該受信されたネットワークＩＤに対応する無線通信ネットワークを選択して登録することとを行う、項目１に記載の方法。
【００１６】
（項目６）
上記国内ネットワークＩＤ、優先ローミングネットワークＩＤの上記オペレータ制御リストおよびユーザ制御リスト、ならびに、上記操舵ネットワークＩＤは、上記ユーザ設備の加入者識別モジュールまたはユニバーサル加入者識別モジュール内に、さらに格納される、項目１に記載の方法。
【００１７】
（項目７）
上記国内ネットワークＩＤに対応する無線通信ネットワークから、メッセージ内の上記操舵ネットワークＩＤを受信することと、
上記メモリ内に該操舵ネットワークＩＤを格納することと
をさらに包含する、項目１に記載の方法。
【００１８】
（項目８）
現在の国コードと異なる国コードを上記走査動作から受信することと、
該現在の国コードと異なる該国コードを受信することに基づいて、上記操舵ネットワークＩＤをメモリからクリアすることと
をさらに包含する、項目１に記載の方法。
【００１９】
（項目９）
無線送受信機と、
該無線送受信機に結合された１つ以上のプロセッサと、
該１つ以上のプロセッサに結合された取り外し可能なメモリモジュールインターフェースと
を備える、移動設備であって、
該取り外し可能なメモリモジュールは、国内ネットワークＩＤ、優先ローミングネットワークＩＤのユーザ制御リスト、優先ローミングネットワークＩＤのオペレータ制御リスト、ならびに、優先ローミングネットワークＩＤの該ユーザ制御リストおよび該オペレータ制御リストの部分ではなく、優先ローミングネットワークＩＤの該オペレータ制御リストより優先度の高い操舵ネットワークＩＤを格納するように適合し、
該１つ以上のプロセッサは、自動ネットワーク選択手順を実行するために、優先ローミングネットワークＩＤの該オペレータ制御リストより優先度の高いユーザ通信用の該操舵ネットワークＩＤの使用によって、無線通信ネットワークを選択して動作しようと試みるように適合しており、
該試みることが、
走査動作を実行して、該ユーザ設備のカバー範囲エリア内で１つ以上の利用可能な無線通信ネットワークに対応する１つ以上のネットワークＩＤを受信することと、
該走査動作から該１つ以上の受信されたネットワークＩＤを、該操舵ネットワークＩＤと比較することと、
該受信されたネットワークＩＤと該操舵ネットワークＩＤとの間での合致が、該比較のアクトから確認された場合、該操舵ネットワークＩＤと合致する該受信されたネットワークＩＤに対応する無線通信ネットワークを選択して、登録することとを行う、移動設備。
【００２０】
（項目１０）
上記１つ以上のプロセッサは、上記自動ネットワーク選択手順を実行するために、ローミングするときに、上記ユーザ通信用の優先ローミングネットワークＩＤの上記オペレータ制御リストを使用して、上記無線通信ネットワークを選択して動作することの代わりに、該ユーザ通信用の上記操舵ネットワークＩＤに対応する該無線通信ネットワークを選択して動作するようにさらに適合する、項目９に記載の移動設備。
【００２１】
（項目１１）
無線通信ネットワークを介して、メッセージ内の上記操舵ネットワークＩＤを受信することと、
上記メモリ内に、該操舵ネットワークＩＤを格納することと、
上記自動ネットワーク選択手順において、上記ユーザ設備がローミングするときに、上記ユーザ通信用の優先ローミングネットワークＩＤの上記オペレータ制御リストを使用して、該無線通信ネットワークを選択して動作することの代わりに、該ユーザ通信用の該操舵ネットワークＩＤに対応する該無線通信ネットワークを選択して動作することと
をさらに包含する、項目９に記載の移動設備。
【００２２】
（項目１２）
上記１つ以上のプロセッサは、上記自動ネットワーク選択手順を実行するために、上記操舵ネットワークＩＤを使用して、無線通信ネットワークを選択しようと試みる前に、優先ネットワークＩＤの上記ユーザ制御リストを使用して、無線通信ネットワークを選択しようと試みるようにさらに適合しており、
該試みることが
上記１つ以上の受信されたネットワークＩＤと、優先ネットワークＩＤの該ユーザ制御リストからのネットワークＩＤとを比較することと、
該１つ以上の受信されたネットワークＩＤのうちの１つと、該ユーザ制御リストからのネットワークＩＤとの間の合致が、該比較するアクトから確認された場合、優先ネットワークＩＤの該ユーザ制御リストから、該ネットワークＩＤと合致する該受信されたネットワークＩＤに対応する無線通信ネットワークを選択して登録することとを行う、項目９に記載の移動設備。
【００２３】
（項目１３）
上記１つ以上のプロセッサは、上記自動ネットワーク選択手順を実行するために、上記操舵ネットワークＩＤを使用して、上記無線通信ネットワークを選択しようと試みて不成功に終わった後に、優先ローミングネットワークＩＤの上記オペレータ制御リストを使用して、無線通信ネットワークを選択しようと試みるように、さらに適合しており、
該試みることが、
上記１つ以上の受信されたネットワークＩＤと、優先ローミングネットワークＩＤの該オペレータ制御リストからのネットワークＩＤとを比較することと、
該１つ以上の受信されたネットワークＩＤのうちの１つと、優先ローミングネットワークＩＤの該オペレータ制御リストからのネットワークＩＤとの間の合致が該比較するアクトから確認された場合、優先ローミングネットワークＩＤの該オペレータ制御リストから、該ネットワークＩＤと合致する該受信されたネットワークＩＤに対応する無線通信ネットワークを選択して、登録することとを行う、項目９に記載の移動設備。
【００２４】
（項目１４）
上記取り外し可能なメモリモジュールは、加入者識別モジュールまたはユニバーサル加入者識別モジュールを備える、項目９に記載の移動設備。
【００２５】
（項目１５）
上記国内ネットワークＩＤに対応する無線通信ネットワークから、メッセージ内の上記操舵ネットワークＩＤを受信することと、
上記メモリ内に該操舵ネットワークＩＤを格納することと
をさらに包含する、項目９に記載の移動設備。
【００２６】
（項目１６）
上記１つ以上のプロセッサは、上記自動ネットワーク選択手順を実行するために、
現在の国コードと異なる国コードを上記走査動作から受信することと、
該現在の国コードと異なる該国コードを受信することに基づいて、上記操舵ネットワークＩＤをメモリからクリアすることと
を行うように、さらに適合する、項目９に記載の移動設備。
【００２７】
（項目１７）
移動設備用の取り外し可能なメモリモジュールであって、
メモリと、
該メモリ内に、国内ネットワークＩＤを格納するためのファイルと、
該メモリ内に、優先ローミングネットワークＩＤのユーザ制御リストを格納するためのファイルと、
該メモリ内に、優先ローミングネットワークＩＤのオペレータ制御リストを格納するためのファイルと、
該メモリ内に、優先ローミングネットワークＩＤの該ユーザ制御リストおよび該オペレータ制御リストの部分ではなく、優先ローミングネットワークＩＤの該オペレータ制御リストより優先度の高い操舵ネットワークＩＤを格納するためのファイルと
を備える、取り外し可能なメモリモジュール。
【００２８】
（項目１８）
上記操舵ネットワークＩＤは、上記移動設備の自動ネットワーク選択手順において、優先ローミングネットワークＩＤの上記オペレータ制御リストを使用する代わりに、上記移動設備によって使用するためである、項目１７に記載の取り外し可能なメモリモジュール。
【００２９】
（項目１９）
加入者識別モジュールまたはユニバーサル加入者識別モジュールを備える、項目１７に記載の取り外し可能なメモリモジュール。
【００３０】
（項目２０）
各ネットワークＩＤは、移動ネットワークコードおよび移動国コードを備える、項目１７に記載の取り外し可能なメモリモジュール。
【００３１】
（項目２１）
各ネットワークＩＤは、公衆陸上移動網に対応する、項目１７に記載の取り外し可能なメモリモジュール。
【００３２】
（項目２２）
無線通信ネットワークのネットワーク設備によって、ユーザ設備を操舵無線通信ネットワークに操舵するのに使用する方法であって、該無線通信ネットワークは、該ユーザ設備の国内通信ネットワークであり、該ユーザ設備は、国内ネットワークＩＤ、優先ネットワークＩＤのユーザ制御リストおよび優先ネットワークＩＤのオペレータ制御リストを使用して動作するように構成され、該方法は、
該ユーザ設備が、複数の地域のうちの１つの地域で動作することを、該地域の無線通信ネットワークを介して確認することと、
該地域の操舵無線通信ネットワークに対応する操舵ネットワークＩＤに、該無線通信ネットワークを介して該ユーザ設備に送信されるようにすることであって、こうして、ユーザ通信用の該ユーザ設備に対する自動ネットワーク選択手順において、該操舵無線通信ネットワークが選択されることであり、該操舵ネットワークＩＤは、該ユーザ設備内の優先ローミングネットワークＩＤの該ユーザ制御リストおよび該オペレータ制御リストの部分ではなく、該自動ネットワーク選択手順において、優先ローミングネットワークＩＤの該オペレータ制御リストより優先度の高い、ことと
を包含する、方法。
【００３３】
（項目２３）
上記ユーザ設備の上記自動ネットワーク選択手順は、ユーザ通信用の優先ローミングネットワークＩＤの上記オペレータ制御リストを使用して、無線通信ネットワークを選択して動作する代わりに、該ユーザ通信用の上記操舵ネットワークＩＤに対応する上記無線通信ネットワークを選択する、項目２２に記載の方法。
【００３４】
（項目２４）
上記操舵ネットワークＩＤは、上記操舵無線ネットワークに対応する移動ネットワークコードおよび移動国コードを備える、項目２２に記載の方法。
【００３５】
（項目２５）
上記操舵ネットワークＩＤに送信されるようにするアクトは、該操舵ネットワークＩＤに含まれるショートメッセージサービス（ＳＭＳ）メッセージを送信されるようにするアクトをさらに包含する、項目２２に記載の方法。
【００３６】
（項目２６）
上記無線通信ネットワークは、訪問国無線通信ネットワークであり、上記地域は、ローミング地域である、項目２２に記載の方法。
【００３７】
（項目２７）
コンピュータ可読媒体と、上記ネットワーク設備の１つ以上のプロセッサによって実行可能な該コンピュータ可読媒体内に格納されたコンピュータプログラム命令とを備えるコンピュータプログラム製品として具現化される、項目２２に記載の方法。
【００３８】
（項目２８）
無線通信ネットワーク用のネットワーク設備であって、
該無線通信ネットワークは、国内ネットワークＩＤ、優先ネットワークＩＤのユーザ制御リストおよび優先ネットワークＩＤのオペレータ制御リストを使用して動作するように構成されるユーザ設備の国内通信ネットワークであり、該ネットワーク設備は、
該ユーザ設備が、複数の地域のうちの１つの地域で動作していることを、該地域の無線通信ネットワークを介して確認することと、
該地域の操舵無線通信ネットワークに対応する操舵ネットワークＩＤに、該無線通信ネットワークを介して該ユーザ設備に送信されるようにすることであって、こうして、ユーザ通信用の該ユーザ設備に対する自動ネットワーク選択手順において、該操舵無線通信ネットワークが選択されることであり、該操舵ネットワークＩＤは、優先ローミングネットワークＩＤの該ユーザ制御リストおよび該オペレータ制御リストの部分ではなく、該自動ネットワーク選択手順において、優先ローミングネットワークＩＤの該オペレータ制御リストより優先度の高い、ことと
を行うように構成される、ネットワーク設備。
【００３９】
（項目２９）
上記自動ネットワーク選択手順は、上記ユーザ通信用の優先ローミングネットワークＩＤの上記オペレータ制御リストを使用する代わりに、該ユーザ通信用の上記操舵ネットワークＩＤを使用して、上記無線通信ネットワークを選択して動作しようと試みる、項目２８に記載のネットワーク設備。
【００４０】
（項目３０）
上記操舵ネットワークＩＤは、上記操舵無線ネットワークに対応する移動ネットワークコードおよび移動国コードを備える、項目２８に記載のネットワーク設備。
【００４１】
（項目３１）
上記操舵ネットワークＩＤに送信されるようにする上記アクトは、該操舵ネットワークＩＤを含むショートメッセージサービス（ＳＭＳ）メッセージを送信されるようにするアクトをさらに包含する、項目２８に記載のネットワーク設備。
【００４２】
（項目３２）
上記操舵ネットワークＩＤに送信されるようにする上記アクトは、該操舵ネットワークＩＤを含む無線ダウンロードメッセージを送信されるようにするアクトをさらに包含する、項目２８に記載のネットワーク設備。
【００４３】
（項目３３）
上記無線通信ネットワークは、訪問国無線通信ネットワークであり、上記地域は、ローミング地域である、項目２８に記載のネットワーク設備。
【００４４】
（項目３４）
上記操舵ネットワークＩＤは、上記ユーザ設備に対する自動ネットワーク選択手順で使用されるためであり、該手順は、
上記ユーザ通信用の優先ローミングネットワークＩＤの上記オペレータ制御リストを使用して、無線通信ネットワークを選択しようと試みる代わりに、該ユーザ通信用の上記操舵ネットワークＩＤを使用して、上記操舵無線通信ネットワークを選択しようと試みることを包含する手順であり、
該試みることが、
走査動作を実行して、該ユーザ設備のカバー範囲エリア内で１つ以上の利用可能な無線通信ネットワークに対応する１つ以上のネットワークＩＤを受信することと、
該走査動作から該１つ以上の受信されたネットワークＩＤを、該操舵ネットワークＩＤと比較することと、
受信されたネットワークＩＤと該操舵ネットワークＩＤとの間の合致が、該比較のアクトから確認された場合、該操舵ネットワークＩＤと合致する該受信されたネットワークＩＤに対応する無線通信ネットワークを選択して、登録することとを行う、項目２８に記載のネットワーク設備。
【００４５】
（項目３５）
複数の異なるローミング地域とそれぞれ関連する複数の異なる操舵ネットワークＩＤを格納するデータベースをさらに備える、項目２８に記載のネットワーク設備。
【００４６】
（項目３６）
無線通信ネットワークのネットワーク設備によって、操舵無線通信ネットワークにユーザ設備を操舵する方法であって、
該ユーザ設備は、国内ネットワークＩＤ、優先ローミングネットワークＩＤのユーザ制御リスト、優先ローミングネットワークＩＤのオペレータ制御リスト、ならびに、優先ローミングネットワークＩＤの該ユーザ制御リストおよび該オペレータ制御リストの部分ではなく、優先ローミングネットワークＩＤの該オペレータ制御リストより優先度の高い操舵ネットワークＩＤの格納を維持し、該方法は、
該ユーザ設備が、複数の地域のうちの１つの地域で動作していることを、該地域の無線通信ネットワークを介して確認することと、
該確認された地域の操舵無線通信ネットワークに対応する該操舵ネットワークＩＤに、該無線通信ネットワークを介して該ユーザ設備に送信されるようにすることであって、こうして、該ユーザ設備の自動ネットワーク選択手順において、該操舵無線通信ネットワークが選択されることと
を包含する、方法。
【００４７】
（項目３７）
上記無線通信ネットワークは、訪問国無線通信ネットワークを備え、上記地域は、ローミング地域を備える、項目３６に記載の方法。
【００４８】
（項目３８）
上記無線通信ネットワークは、国内無線通信ネットワークを備え、上記地域は、上記ユーザ設備の国内地域を備える、項目３６に記載の方法。
【００４９】
（摘要）
「操舵」ＰＬＭＮを使用するユーザ設備によって、無線通信ネットワークを自動的に選択する方法および装置が、開示される。国内ネットワークＩＤ、優先ローミングネットワークＩＤのリスト、および、操舵ネットワークＩＤが、ユーザ設備のメモリ（例えば、ＳＩＭまたはＵＳＩＭ）内に格納される。自動ネットワーク選択手順において、走査動作は、カバー範囲エリア内で１つ以上の利用可能な無線通信ネットワークに対応する１つ以上のネットワークＩＤを受信するために実行される。ユーザ設備は、走査動作から受信されたネットワークＩＤを操舵ネットワークＩＤと比較することによって、カバー範囲エリア内の無線通信ネットワークを選択しようと試みる。受信されたネットワークＩＤと操舵ネットワークＩＤとの間での合致が確認された場合、操舵ネットワークＩＤと合致する受信されたネットワークＩＤに対応する無線通信ネットワークが、ユーザ設備によって選択され、登録される。この手順は、ユーザ設備の優先ローミングネットワークＩＤのリストを使用する代わりに実行される。必要なときに（例えば、地域ごとに）、無線プログラミング手順を介する操舵ネットワークＩＤを設定することによって、国内ネットワークのオペレータは、ユーザ設備を任意の所望のネットワークに即座に、効率的に「操舵」し得る。
【発明を実施するための最良の形態】
【００５０】
（好ましい実施形態の詳細な説明）
「操舵」ＰＬＭＮを使用するユーザ設備によって、無線通信ネットワークを自動的に選択する方法および装置が、記載される。国内ネットワークＩＤ、優先ローミングネットワークＩＤのリスト、および、操舵ネットワークＩＤが、ユーザ設備のメモリ（例えば、ＳＩＭまたはＵＳＩＭ）内に格納される。自動ネットワーク選択手順において、走査動作は、カバー範囲エリア内で１つ以上の利用可能な無線通信ネットワークに対応する１つ以上のネットワークＩＤを受信するために実行される。ユーザ設備は、走査動作から受信されたネットワークＩＤを操舵ネットワークＩＤと比較することによって、カバー範囲エリア内の無線通信ネットワークを選択しようと試みる。受信されたネットワークＩＤと操舵ネットワークＩＤとの間での合致が確認された場合、操舵ネットワークＩＤと合致する受信されたネットワークＩＤに対応する無線通信ネットワークが、ユーザ設備によって選択され、登録される。この手順は、ユーザ設備の優先ローミングネットワークＩＤのリストを使用する代わりに、あるいは、使用する前に実行される。必要なときに（例えば、地域ごとに）、無線プログラミング手順を介する操舵ネットワークＩＤを設定することによって、国内ネットワークのオペレータは、ユーザ設備を任意の所望のネットワークに即座に、効率的に「操舵」し得る。無線通信ネットワークのネットワーク設備によって、ユーザ設備を操舵無線通信ネットワークに操舵するのに使用する例示的な技術の一つは、この無線通信ネットワークがユーザ設備の国内通信ネットワークであるとき、ユーザ設備が、複数のローミング地域のうちの１つの地域で動作していることを、そのローミング地域の訪問国無線通信ネットワークを介して確認するアクトと、ローミング地域の操舵無線通信ネットワークに対応する操舵ネットワークＩＤに、訪問国無線通信ネットワークを介してユーザ設備に送信されるようにするアクトであって、こうして、ユーザ設備に対する自動ネットワーク選択手順において、操舵無線通信ネットワークが選択される、アクトとを含む。操舵ネットワークＩＤは、無線プログラミング手順のメッセージ（例えば、ショートメッセージサービス（ＳＭＳ）メッセージ）で送信され得る。
【００５１】
通信の一般的コンポーネントを示すために、図１は、通信システム１００のブロック図である。このシステム１００は、無線通信ネットワーク１０４を介して通信する移動局１０２（ユーザ設備、無線または移動通信デバイスの１つのタイプ）を含む。移動局１０２は、ビジュアルディスプレイ１１２、キーボード１１４、おそらく１つ以上の補助ユーザインタフェース（ＵＩ）１１６を好ましくは含み、それぞれは制御装置１０６に結合されている。制御装置１０６は、また無線周波数（ＲＦ）送受信回路網１０８およびアンテナ１１０に結合されている。典型的には、制御装置１０６は、中央演算処理装置（ＣＰＵ）として具現化されていて、メモリコンポーネント（図示せず）内のオペレーティングシステムソフトウェアを実行する。制御装置１０６は、移動局１０２の全体の動作を通常は制御するのに対し、通信機能と関連する信号処理動作は典型的にＲＦ送受信回路網１０８において実行される。制御装置１０６は、デバイスディスプレイ１１２とインターフェースし、受信した情報、格納された情報、ユーザ入力などを表示する。キーボード１１４は、電話タイプのキーパッドまたは完全な英数字キーボードであり得て、移動局１０２で格納するデータ、ネットワーク１０４へ送信する情報、電話を掛けるための電話番号、移動局１０２において実行される命令、そして、おそらくは他のユーザ入力または異なるユーザ入力を入れるために、通常は提供される。
【００５２】
移動局１０２は、アンテナ１１０経由で無線リンクを介するネットワーク１０４へ通信信号を送信し、ネットワーク１０４から通信信号を受信する。ＲＦ送受信回路網１０８は局１１８および基地局制御装置（ＢＳＣ）１２０と同様の機能を実行し、例えば変調／復調、そして、おそらくは符号化／復号化、暗号化／復号化を含む。ＲＦ送受信回路網１０８が、ＢＳＣ１２０によって実行される機能に加えて、特定の機能を実行し得ることもまた考えられる。移動局１０２が動作するよう意図される特定の無線ネットワーク（単数または複数）にＲＦ送受信回路網１０８が適応されることは、当業者にとって明らかである。
【００５３】
移動局１０２は、１つ以上の充電可能な電池１３２を受け取るために電池インタフェース１３４を含む。電池１３２は、移動局１０２における電気回路網に電力を提供する。電池インタフェース１３４は、電池１３２に機械的および電気的接続を提供する。電池インタフェース１３４は、デバイスへの電力Ｖ＋を調節する調節装置１３６に結合される。移動局１０２が、完全に動作可能な場合、ＲＦ送受信回路網１０８のＲＦ送信機は、その送信機がネットワークに送信中のときのみ、キーされているか、オンされており、送信中以外は、リソース保存のために、オフにされている。同様に、ＲＦ送受信回路網１０８のＲＦ受信機は、（たとえ、そうであるにせよ）指定された期間の間に、信号または情報を受信する必要が生じるまで、電力保存のために、典型的には、周期的にオフにされている。
【００５４】
移動局１０２は、加入者識別モジュール（ＳＩＭ）インタフェース１４２で、移動局１０２に接続または挿入されているＳＩＭ１４０を用いて動作する。ＳＩＭ１４０がないとき、移動デバイスは、移動設備（ＭＥ）と称され得る。ＳＩＭ１４０があるとき、移動デバイスは、ユーザ設備（ＵＥ）と称され得る。ＳＩＭ１４０は、移動局１０２のエンドユーザ（または加入者）を識別し、とりわけ、デバイスを個人化するために用いられる取り外し可能なメモリモジュールまたは「スマートカード」の１つのタイプである。ＳＩＭ１４０がないと、移動局端末は、無線ネットワーク１０４を介する通信に対し、完全な動作はしない。ＳＩＭ１４０を移動局１０２に挿入することによって、エンドユーザは任意の全ての加入者サービスにアクセスを有し得る。ＳＩＭは、情報を格納するためのプロセッサおよびメモリを一般的に含む。ＳＩＭ１４０は、ＳＩＭインターフェース１４２と結合されるので、ＳＩＭ１４０は、通信ライン１４４を介して制御装置１０６に結合される。加入者を識別するために、ＳＩＭ１４０は、国際移動加入者識別（ＩＭＳＩ）のような何らかのユーザパラメータを含む。ＳＩＭ１４０を使用する利点は、エンドユーザが必ずしも任意の単一の物理的な移動局によって制限されない点である。ＳＩＭ１４０は、データブック（またはカレンダ）情報および最近の電話呼び出し情報を含む移動局用の追加ユーザ情報もまた格納し得る。
【００５５】
移動局１０２は、データ通信デバイス、携帯電話、データおよび音声通信能力を有する多機能通信デバイス、無線通信が可能な携帯情報端末（ＰＤＡ）、または、内部モデムを組み込んだコンピュータのような単一ユニットから成り得る。代替に、移動局１０２は、複数の個別のコンポーネントを備える複数のモジュールユニットからなり得る。この複数の個別のコンポーネントには、無線モデムに接続するコンピュータまたは他のデバイスを含むが、これらに決して限定されない。特に、例えば、図１の移動局ブロック図において、ＲＦ送受信回路網１０８およびアンテナ１１０は、ラップトップコンピュータ上のポートの中に挿入され得る無線モデムユニットとしてインプリメントされ得る。この場合、ラップトップコンピュータは、ディスプレイ１１２、キーボード１１４、１つ以上の補助ＵＩ１１６、コンピュータのＣＰＵとして具現化される制御装置１０６を含む。通常は無線通信をできないコンピュータまたは他の設備が、上記のいずれかのような単一ユニットデバイスのＲＦ送受信回路網１０８およびアンテナ１１０に接続し、効果的にそれらの制御を担うように適合されることも考えられる。そのような移動局１０２は、図２の移動局４０２と関連して後述されるようにより特定のインプリメンテーションを有し得る。
【００５６】
移動局１０２は、無線通信ネットワーク１０４で通信し、このネットワークを介して通信する。無線通信ネットワーク１０４は、携帯電話通信ネットワークであり得る。図１の実施形態において、無線ネットワーク１０４は、汎用パケット無線サービス（ＧＰＲＳ）および移動体グローバルシステム（ＧＳＭ）技術に従って構成される。無線ネットワーク１０４は、関連タワー局１１８を有する基地局制御装置（ＢＳＣ）１２０、移動通信交換センタ（ＭＳＣ）１２２、在圏ロケーションレジスタ（ＨＬＲ）１３２、サービシング汎用パケット無線サービス（ＧＰＲＳ）サポートノード（ＳＧＳＮ）１２６、ゲートウェーＧＰＲＳサポートノード（ＧＧＳＮ）１２８を含む。ＭＳＣ１２２は、ＢＳＣ１２０および公衆交換電話網（ＰＳＴＮ）１２４などのような陸線ネットワークに結合されている。ＳＧＳＮ１２６は、ＢＳＣ１２０およびＧＧＳＮ１２８に結合され、次いで、ＧＧＳＮ１２８は、公的または民間データネットワーク１３０（例えば、インターネット）に結合されている。ＨＬＲ１３２は、ＭＳＣ１２２、ＳＧＳＮ１２６およびＧＧＳＮ１２８に結合している。
【００５７】
局１１８は、固定送受信局であり、局１１８およびＢＳＣ１２０は、送信設備と称され得る。送信設備は、「セル」と一般に称される特定のカバー範囲エリアに対する無線ネットワークカバー範囲を提供する。送信設備は、局１１８を介してセル内の移動局に通信信号を送信し、そこから通信信号を受信する。送信設備は、通常、変調のような機能を実行し、そして、おそらくは、制御装置の制御のもとで特定の、通常は規定の通信プロトコルおよびパラメータに従って、移動局に送信されるべき信号の符号化および／または暗号化のような機能を実行する。送信設備は、同様に復調し、必要ならばおそらく、セル内の移動局１０２から受信された任意の通信信号を復号化および解読する。通信プロトコルおよびパラメータは、異なるネットワーク間で変わり得る。例えば、１つのネットワークは異なる変調スキームを用い得て、他のネットワークとは異なる周波数で動作し得る。
【００５８】
図１の通信システム１００に示される無線リンクは、１つ以上の異なるチャネルであり、典型的に異なる無線周波数（ＲＦ）チャンネル、無線ネットワーク１０４と移動局１０２との間で用いられる関連プロトコルを表す。典型的に、全体の帯域幅が限られ、移動局１０２の電池電力が限られているため、ＲＦチャネルは、保存されなければならない限られたリソースである。実際に実行する場合、無線ネットワークは、ネットワークカバー範囲の所望の全体の広がりに応じて、数百のセルを含み得、そのそれぞれは、局１１８（すなわち、あるいは局セクタ）によってサービスされ得ることは、当業者には理解されるべきである。全ての付属コンポーネントは、複数のスイッチおよびルータ（図示せず）によって接続され得て、複数のネットワーク制御装置によって制御され得る。
【００５９】
ネットワークオペレーターに登録している全ての移動局１０２に対して、永久的データ（例えば、移動局１０２のユーザプロファイル）ならびに一時的データ（例えば、移動局１０２の現在位置）は、ＨＬＲ１３２に格納される。移動局１０２への音声呼び出しの場合、ＨＬＲ１３２は、移動局１０２の現在位置を決定するためにクエリされる。ＭＳＣ１２２の在圏ロケーションレジスタ（ＶＬＲ）は、ロケーションエリアのグループを担当し、その担当エリアに現存するそれらの移動局のデータを格納する。これには、より速くアクセスするために、ＨＬＲ１３２からＶＬＲに送信されてきた永久的移動局データの部分を含む。しかしながら、ＭＳＣ１２２のＶＬＲは、また一時的ＩＤのような局所データを割り当て得て、格納し得る。随意的に、ＭＳＣ１２２のＶＬＲは、ＧＰＲＳおよび非ＧＰＲＳのサービスおよび機能性をより効率的に協調するために拡張され得る（例えば、ＳＧＳＮ１２６を介して、より効率的に実行され得る回路切り換え電話の呼び出し、ＧＰＲＳおよび非ＧＰＲＳのロケーション更新）。
【００６０】
サービングＧＰＲＳサポートノード（ＳＧＳＮ）１２６は、ＭＳＣ１２２と同じ階層レベルにあり、移動局の個々のロケーションの追跡を続ける。ＳＧＳＮ１２６は、またセキュリティ機能およびアクセス制御を実行する。ゲートウェーＧＰＲＳサポートノード（ＧＧＳＮ）１２８は、外部のパケット切り換えネットワークとの相互作用を提供し、ＩＰベースのＧＰＲＳ基幹ネットワークを介してＳＧＳＮ（例えば、ＳＧＳＮ１２６）と接続される。ＳＧＳＮ１２６は、既存のＧＳＭにおけるものと同じアルゴリズム、キー、基準に基づく認証および暗号設定手順を実行する。従来の動作において、セル選択は、移動局１０２によって、または、移動局１０２が特定のセルを選択するように指示する送信設備によって独立的に実行され得る。移動局１０２が、別のセルまたはルーティングエリアとして知られるセルグループを再選択するとき、移動局１０２は、無線ネットワーク１０４に通知する。
【００６１】
ＧＰＲＳサービスにアクセスするために、いわゆるＧＰＲＳ「アタッチ（ａｔｔａｃｈ）」を実行することによって、移動局１０２は、まずその存在を無線ネットワーク１０４に知らせる。この動作は、移動局１０２とＳＧＳＮ１２６との間に論理リンクを確立し、移動局１０２が、例えば、ＳＧＳＮ経由のページ、入力ＧＰＲＳデータの通知、または、ＧＰＲＳを介するＳＭＳメッセージの受信ために利用可能とする。ＧＰＲＳデータを送受信するために、移動局１０２は使用したいパケットデータアドレスを有効にすることを補助する。この動作は、移動局１０２をＧＧＳＮ１２８に知らせて、外部データネットワークとの相互作用がその後開始するようにする。例えば、カプセル化およびトンネリングを用いて、ユーザデータは、移動局１０２と外部データネットワークとの間にユーザが気づくことなく送信され得る。データパケットはＧＰＲＳ特有のプロトコル情報を備え、移動局１０２とＧＧＳＮ１２８との間で送信される。
【００６２】
無線ネットワークが、他のシステムにも接続され得ること、図１に明確に示されていない他のネットワークをおそらく含むことを当業者なら理解するであろう。ネットワークは、実際に交換されるべきパケットデータがなくても、進行中として、少なくともいくつかの種類の呼び出しおよびシステム情報を通常、伝送する。ネットワークは多くのパーツから成るが、これらのパーツはすべて協働し、無線リンクで特定の挙動を引き起こす結果となる。
【００６３】
図２は、本出願の好ましい移動局２０２の詳細なブロック図である。移動局２０２は、好ましくは双方向通信デバイスであり、他のコンピュータシステムとの通信能力を含む音声および先端データ通信能力を少なくとも有する。移動局２０２に提供される機能性に依存して、この移動局は、データメッセージングデバイス、双方向ページャ、データメッセージング能力を有する携帯電話、無線インターネット機器、あるいは、（電話性能を有するまたは有さない）データ通信装置を意味し得る。移動局２０２は、地理的カバー範囲エリア内の複数の固定送信局２００のうちの１つと通信し得る。
【００６４】
移動局２０２は、通常、通信サブシステム２１１を組み込む。通信サブシステム２１１は、受信機２１２、送信機２１４、１つ以上の（好ましくは内蔵されているか内部の）アンテナエレメント２１６および２１８などの関連コンポーネント、局部発振器（ＬＯ）２１３、デジタル信号プロセッサ（ＤＳＰ）２２０などの処理モジュールを含む。通信サブシステム２１１は、図１に示されるＲＦ送受信回路網１０８およびアンテナ１１０に類似である。通信分野の当業者に明らかなように、通信サブシステム２１１の特定の設計は、移動局２０２が動作するように意図される通信ネットワークに依存する。
【００６５】
移動局２０２は、必要なネットワーク登録または有効化手順が完了した後に、ネットワークを介して通信信号を送受信し得る。ネットワークを介してアンテナ２１６に受信される信号は受信機２１２へ入力され、受信機２１２は、信号増幅、周波数下方変換、フィルタリング、チャンネル選択など、および、図２に示される例にあるアナログデジタル（Ａ／Ｄ）変換などの一般的な受信機の機能を実行し得る。受信信号のＡ／Ｄ変換によって、ＤＳＰ２２０において実行される復調および復号化などのより複雑な通信機能が可能になる。同様に、送信される信号は、例えば、ＤＳＰ２２０による変調および符号化を含む処理がされる。これらのＤＳＰ処理された信号は、デジタル−アナログ（Ｄ／Ａ）変換、周波数上方変換、フィルタリング、増幅、アンテナ２１８を介して通信ネットワークでの送信のために、トランスミッタ２１４へ入力される。ＤＳＰ２２０は、通信信号を処理するだけでなく、受信機および送信機の制御を提供する。例えば、受信機２１２および送信機２１４における通信信号に付与されるゲインは、ＤＳＰ２２０内でインプリメントされる自動ゲイン制御アルゴリズムを介して適合するように制御され得る。
【００６６】
ネットワークアクセスは、移動局２０２の加入者またはユーザと関連する。それゆえ、ネットワークで動作するために、移動局２０２は、加入者識別モジュール、すなわち、「ＳＩＭ」カード２６２をＳＩＭインタフェース２６４内に挿入することを必要とする。ＳＩＭ２６２は、図１に関連して記されたこれらの特徴を含む。ここでまた、そのようなＳＩＭ２６２が挿入されていないとき、移動デバイスは、移動設備（ＭＥ）と称され得る。ＳＩＭ２６２が挿入されていると、移動デバイスは、ユーザ設備（ＵＥ）と称され得る。移動局２０２は、１つ以上の充電可能な電池２５６を受け取るために電池インタフェース２５４を含む。このような電池２５６は、移動局２０２における電気回路網の全てにではないにせよ、ほとんどに電力を提供する。電池インタフェース２５４は、電池２５６に機械的および電気的両方の接続を提供する。電池インタフェース２５４は、調整装置（図示せず）に結合され、調整装置は、回路網の全てに電力Ｖ＋を提供する。
【００６７】
移動局２０２は、移動局２０２の全体の動作を制御するマイクロプロセッサ２３８（図１の制御装置１０６の１つのインプリメンテーションである）を含む。少なくともデータおよび音声通信を含む通信機能は、通信サブシステム２１１を介して実行される。マイクロプロセッサ２３８はまた、ディスプレイ２２２、フラッシュメモリ２２４、ランダムアクセスメモリ（ＲＡＭ）２２６、補助入力／出力（Ｉ／Ｏ）サブシステム２２８、シリアルポート２３０、キーボード２３２、スピーカ２３４、マイク２３６、短距離通信サブシステム２４０、および、一般的に２４２で示される任意の他のデバイスサブシステムなどの追加デバイスサブシステムと相互作用する。図２に示される一部のサブシステムが通信関連の機能を実行するのに対して、他のサブシステムは「常駐の」またはオンデバイス機能を提供し得る。とりわけ、キーボード２３２およびディスプレイ２２２などの一部のサブシステムは、例えば、通信ネットワークを介する送信のためのテキストメッセージの入力などの通信関連機能と、計算器またはタスクリストのようなデバイス常駐機能の双方のために用いられ得る。マイクロプロセッサ２３８に用いられるオペレーティングシステムソフトウェアは、好ましくは、フラッシュメモリ２２４などの持続性ストアに格納される。フラッシュメモリ２２４は、代替として、読み出し専用メモリ（ＲＯＭ）または同様のストレージエレメント（図示せず）であり得る。オペレーティングシステム、特定のデバイスアプリケーション、または、そのパーツが、ＲＡＭ２２６などのような揮発性ストアに一時的にロードされ得ることを当業者は理解するであろう。
【００６８】
マイクロプロセッサ２３８は、そのオペレーティングシステム機能に加えて、移動局２０２へのソフトウェアプリケーションの実行を可能にすることが好ましい。所定のアプリケーションのセットは基本的なデバイス動作（少なくともデータおよび音声の通信アプリケーション）ならびに、本出願のネットワーク選択技術を含み、通常はその製造中に移動局２０２にインストールされる。移動局２０２にロードされ得る好ましいアプリケーションは、ユーザに関連するデータ項目を編成および管理する能力を有する個人情報管理（ＰＩＭ）アプリケーションであり得る。ユーザに関連する項目としては、ｅメール、カレンダーイベント、音声メール、約束、タスク項目などが挙げられるが、これらに限定されない。当然、１つ以上のメモリストアは、移動局２０２およびＳＩＭ２６２において利用可能であり、ＰＩＭデータ項目および他の情報の格納を容易にする。
【００６９】
ＰＩＭアプリケーションは、無線ネットワークを介してデータ項目を送受信する能力を有することが好ましい。好ましい実施形態において、ＰＩＭデータ項目は無線ネットワークを介して、ホストコンピュータシステムに格納および／または関連付けされた移動局ユーザの対応データ項目を用いて、継続的に統合、同期および更新される。こうして、このような項目に関連して移動局２０２にミラー化されたホストコンピュータを作る。ホストコンピュータシステムが移動局のユーザのオフィスコンピュータシステムである場合に、これは特に有利である。追加のアプリケーションは、また、ネットワーク、補助的Ｉ／Ｏサブシステム２２８、シリアルポート２３０、短距離通信サブシステム２４０、または、任意の他の適切なサブシステム２４２を介して移動局２０２の上にロードされ得て、マイクロプロセッサ２３８による実行のためにＲＡＭ２２６または好ましくは不揮発性ストア（図示せず）内に、ユーザによってインストールされ得る。アプリケーションのインストールにおけるそのような柔軟性は、移動局２０２の機能性を高め、オン・デバイス機能、通信関連機能、またはその双方を強化し得る。例えば、確実な通信アプリケーションによって、移動局２０２を用いて実行される電子商取引機能および他のそのような金融取引が可能となり得る。
【００７０】
データ通信モードにおいて、テキストメッセージ、ｅメールメッセージ、またはウェブページダウンロードのような受信信号は、通信サブシステム２１１によって処理され、マイクロプロセッサ２３８に入力される。マイクロプロセッサ２３８は、ディスプレイ２２２または代替として補助Ｉ／Ｏデバイス２２８への出力のために、信号をさらに処理することが好ましい。移動局２０２のユーザは、また、例えば、ディスプレイ２２２およびおそらく補助Ｉ／Ｏデバイス２２８と連動するキーボード２３２を用いてｅメールメッセージのようなデータ項目を構成し得る。キーボード２３２は、完全な英数字キーボードおよび／または電話タイプのキーパッドであることが好ましい。これらの構成された項目は、通信サブシステム２１１を介して通信ネットワークに送信され得る。
【００７１】
音声通信のために、移動局２０２の全体の動作は、実質的に類似である。ただし、受信信号はスピーカ２３４への出力であり、送信のための信号はマイク２３６によって生成されるという点は除く。サブシステムを記録する音声メッセージのような代替の音声またはオーディオＩ／Ｏサブシステムはまた移動局２０２においてインプリメントされ得る。音声またはオーディオ信号出力は主にスピーカ２３４を介して好ましくは達成されるが、ディスプレイ２２２もまた用いられ得て、一部の例として、呼び出し人のアイデンティティの表示、音声呼び出しの長さ、他の音声呼び出し関連情報を提供する。
【００７２】
図２におけるシリアルポート２３０は、通常、携帯情報端末（ＰＤＡ）タイプの通信デバイスでインプリメントされる。この通信デバイスは、ユーザのデスクトップコンピュータと同期することが、随意ではあるが、望ましいコンポーネントである。シリアルポート２３０によって、ユーザは、外部デバイスまたはソフトウェアプリケーションを介して優先度を設定でき、無線通信ネットワーク以外を介して、移動局２０２に情報またはソフトウェアのダウンロードを提供することで、移動局２０２の能力を拡張できる。代替のダウンロード経路は、例えば、直接このように確実で信頼性ある接続を介して、移動局２０２に暗号化キーをロードし、それによって確実なデバイス通信を提供するために使用され得る。
【００７３】
図２の短距離通信サブシステム２４０は、追加の随意のコンポーネントであり、移動局２０２と異なるシステムまたはデバイスとの間に通信を提供する。このシステムまたはデバイスは、必ずしも同様のデバイスである必要はない。例えば、サブシステム２４０は、赤外線デバイス、ならびに、関連回路およびコンポーネント、あるいは、ＢｌｕｅｔｏｏｔｈＴＭ通信モジュールを含み得て、通信に同様に有効化されたシステムおよびデバイスを提供する。ＢｌｕｅｔｏｏｔｈＴＭは、Ｂｌｕｅｔｏｏｔｈ  ＳＩＧ，Ｉｎｃの登録商標である。
【００７４】
図３は、移動局用に、データ通信サービスを提供するのに役立つシステム構造を示す。特に、図３は、ネットワークのようなＩＰベースの無線データネットワークの基本コンポーネントで利用され得るものを示す。図３の移動局２０２は、無線パケットデータネットワーク１４５と通信し、また無線音声ネットワーク（図示せず）と通信する能力を有し得る。図３に示されるように、ゲートウェー１４０は、内部のまたは外部のアドレスレゾリューションコンポーネント３３５および１つ以上のネットワークエントリポイント３０５に結合され得る。通信制御プロトコル（ＴＣＰ）またはユーザデータグラムプロトコル（ＵＤＰ）パケットのようなデータパケット３３０は、移動局２０２へ送信されるべき情報のソースであるゲートウェー１４０から、ネットワーク１４５を介して送信される。これは、ゲートウェー１４０から移動局２０２への無線ネットワークトンネル３２５を設定することによって行われる。この無線トンネル３２５を作るために、一義的なネットワークアドレスが移動局２０２と関連する。しかしながら、ＩＰベースの無線ネットワークにおいて、ネットワークアドレスは、典型的に持続的に特定の移動局２０２に割り当てられない代わりに、必要に応じて、動的に割り当てられる。このように、移動局２０２がネットワークアドレスを得ることは好ましいし、ゲートウェー１４０が無線トンネル３２５を確立するために、このアドレスを決定することは好ましい。
【００７５】
ネットワークエントリポイント３０５は、一般的に、例えば、多くのゲートウェー、法人サーバ、および、インターネットのようなバルク接続間で多重化および逆多重化するために用いられる。通常、これらのネットワークエントリポイント３０５が、ほとんどないのは、利用可能な無線ネットワークサービスを外部で中央化することが、また意図されるからである。ネットワークエントリポイント３０５は、ゲートウェーと移動局との間におけるアドレス割り当ておよびルックアップにおいてアシストするアドレスレゾリューションコンポーネント３３５の何らかの形式を使用することが多い。この例において、アドレスレゾリューションコンポーネント３３５は、アドレスレゾリューションメカニズムを提供する一つの方法としての動的ホスト構成プロトコル（ＤＨＣＰ）として示される。
【００７６】
無線パケットデータネットワーク１４５の中央内部コンポーネントは、ネットワークルータ３１５である。通常、ネットワークルータ３１５は、特定のネットワークにとって独自のものであるが、代替として、標準的な市販のハードウェアから構成され得る。ネットワークルータ３１５の目的は、ネットワークエントリポイント３０５に戻る長距離接続のために通常比較的大きなネットワークにおいてインプリメントされる数千の固定送受信局３２０を中央ロケーションに集中化することである。一部のネットワークにおいて、ネットワークルータ３１５の複数の層があり得て、マスターおよびスレーブネットワークルータ３１５の場合があり得る。そのような全ての場合において、その機能は同様である。しばしば、ネットワークルータ３１５は、ネームサーバ３０７（この場合、インターネットで用いられるような動的ネームサーバ（ＤＮＳ）３０７として図示）にアクセスし、データメッセージをルーティングするために目的地を参照する。上述のように、固定送受信局３２０は移動局２０２のような移動局に無線リンクを提供する。
【００７７】
無線トンネル３２５のような無線ネットワークトンネルは、無線ネットワーク３４５全体に開かれる。これは、必要なメモリ、ルーティング、ＩＰパケットを送信するためのアドレスリソースを割り当てるためである。このようなトンネル３２５は、パケットデータプロトコル、あるいは、「ＰＤＰコンテクスト」（すなわち、データセッション）と称されるものの一部として確立される。無線トンネル３２５を開くために、移動局２０２は、無線ネットワーク１４５に関連する特定の技術を使用しなければならない。そのような無線トンネル３２５を開くステップでは、移動局２０２が、無線トンネル３２５を開きたいと望むドメインまたはネットワークエントリポイント３０５を指示することを必要とし得る。この例において、トンネルはまずネームサーバー３０７を使用するネットワークルータ３１５に到達し、どのネットワークエントリポイント３０５が提供されるドメインに合致するかを決定する。複数の無線トンネルは、冗長性のために、または、ネットワーク上の異なるゲートウェーおよびサービスにアクセスするために、１つの移動局２０２から開かれ得る。一度ドメイン名が見い出されると、トンネルは次にネットワークエントリポイント３０５に拡張され、必要なリソースがその途中のノードそれぞれに割り当てられる。ネットワークエントリポイント３０５は、次いでアドレスレゾリューション（またはＤＨＣＰ３３５）コンポーネントを用いて、移動局２０２用のＩＰアドレスを割り当てる。ＩＰアドレスが移動局２０２に割り当てられ、ゲートウェー１４０に通信されると、情報はそれからゲートウェー１４０から移動局２０２に転送され得る。
【００７８】
移動局は、典型的には、エンドユーザによる手動ネットワーク選択手順または自動ネットワーク選択手順を提供する。ローミングに対する現在の３ＧＰＰ標準は、ＳＩＭに格納された優先ＰＬＭＮ（ＰＰＬＭＮ）リストの中で定義される利用可能な最優先ネットワークを選択することを仕様としている。例えば、３ＧＰＰ標準（３ＧＰＰ  ＴＳ  ２３．１２２  Ｖ７．３．０（２００５−０９）の４．４．３．１．１セクションを参照せよ。しかしながら、国内ネットワークオペレータ（例えば、３ＧＰＰ業界用語で、国内公衆陸上移動網、すなわち、ＨＰＬＭＮ）は、それでも、国内または海外のいずれかでローミングするとき、その加入者がどのネットワークに接続するかを動的に制御する必要があり得る。例えば、ＨＰＬＭＮオペレータは、ネットワークＸでサービスされるためには、その加入者をＡ国でローミングするように方向付ける必要がある。一つの理由は、本質的に、商業的なものである。ローミング契約において、あるオペレータは、他のオペレータに、ローミング加入者に所定の量を利用することと引き換えに、より良いレートで提供する。こうして、特定の場合において、そのローミング加入者の全員が、１つの特定のネットワークに方向付けられることを確保し、利用基準が満たされることを確保することは、オペレータにとって有益なことであり得る。もう一つの理由は、ネットワークの故障状態によるものである。一時的な故障は、ある国において、ＨＰＬＭＮのローミング加入者に、そのサービスの全てを提供できないことを意味し得る。それゆえ、ＨＰＬＭＮのオペレータは、そのローミング加入者に、全範囲のサービスを提供し得る国にある他のネットワークに向けるように方向付けする必要があり得る。一例として、ＧＰＲＳが、ある訪問国ＰＬＭＮ（ＶＰＬＭＮ）で、一時的に利用不能になることは、今日、珍しいことではない。さらなる理由は、ネットワークの負荷分散に基づいている。例えば、ＨＰＬＭＮオペレータは、自らが、一国におけるそのローミング加入者の４０％をネットワークＸに、３５％をネットワークＹに、そして、２５％をネットワークＺにしたいと決定し得る。
【００７９】
動的制御が、従来のＰＰＬＭＮリストの使用によって達成される場合、ＨＰＬＭＮオペレータは、無線（ＯＴＡ）プログラミングメカニズムを使用する各加入者に対し、ＰＰＬＭＮリスト全体を更新しなくてはならないであろう。そのためには、大量のショートメッセージサービス（ＳＭＳ）メッセージを必要とする。ローミング加入者に対し、ＰＰＬＭＮリストの全てを更新するために要する処理量が大きくなることは、防止すべきであり得る。さらに、ネットワークの負荷分散が必要とされるなら、ＨＰＬＭＮは、加入者ベースで、ＰＰＬＭＮリストを維持しなくてはならないであろう。しかしながら、このようなＰＰＬＭＮリストを維持することは、ほとんどのオペレータの動作手順と整合性がなく、構成管理に関しての処理量を著しく増やすことになる。ローミングしている間に、特定のネットワークに加入者を方向付ける従来の解決策は、ユーザ設備が、ＰＰＬＭＮリスト内の優先度の高いＶＰＬＭＮから低いＶＰＬＭＮへと接続を試みるときに、ＨＰＬＭＮオペレータによって、ネットワーク拒絶メッセージでごまかすことをともなう。ネットワーク拒絶メッセージは、ＨＰＬＭＮオペレータによって同定された所望のＶＰＬＭＮに達するまで、各選択されたＶＰＬＭＮを介して送信される。この技術は、ＨＰＬＭＮオペレータによって望まれる特定のＶＰＬＭＮに、ユーザ設備を方向付けるとはいえ、明らかに、このような選択が必要とされる度ごとに、ネットワークリソースを無駄に使用することをともなう。
【００８０】
従来技術の欠陥を解決するために、「操舵」ＰＬＭＮを用いて、ユーザ設備による無線通信ネットワークを自動的に選択する方法および装置が提供される。「操舵ＰＬＭＮ」は、国内ネットワークオペレータが、ローミングしているときも、あるいは、していないときも、通信用の任意のユーザ設備を方向付け得るネットワークである。「操舵」ネットワークまたはＰＬＭＮという用語が、本明細書で使用されるが、任意の適切な代替的な術語も使用され得る（例えば、「方向付けられた」ネットワークまたはＰＬＭＮ）。
【００８１】
図４は、本特許出願に従う図２の移動局２０２のＳＩＭ２６２内に格納され得るネットワークＩＤの図である。ＳＩＭ２６２は、ＳＩＭ２６２上のＩＭＳＩに元々は由来する国内ネットワークＩＤ４０２（またはＨＰＬＭＮ）、優先ローミングネットワークＩＤ４０４のユーザ制御リスト（または、ユーザ制御ＰＰＬＭＮリスト）を格納するデータファイル、優先ローミングネットワークＩＤ４０６のオペレータ制御リスト（または、オペレータ制御ＰＰＬＭＮリスト）を格納するデータファイル、および、他のデータファイル４０８を含む。
【００８２】
図４のＳＩＭ２６２は、また、現在動作している地域（例えば、ローミング地域）に対する操舵通信ネットワークと関連する操舵ネットワークＩＤ４１０を格納するデータファイルも含む。操舵ネットワークＩＤ４１０は、例えば、移動ネットワークコード（ＭＮＣ）と移動国コード（ＭＣＣ）とのペアであり得るか、あるいは、そのペアを含み得る。このペアは、操舵通信ネットワークと一義的に対応する。ローミングの際、および／または、ローミングの際でなくとも移動局に指示されたとき、移動局は、優先ローミングネットワークＩＤ４０６のオペレータ制御リスト（すなわち、オペレータ制御ＰＰＬＭＮリスト）を使用して、利用可能な無線通信ネットワークを選択しようと試みる代わりに（あるいは、使用する前に）、操舵ネットワークＩＤ４１０を使用して、利用可能な無線通信ネットワークを選択しようと試みる。必要なときに（例えば、地域ごとベースに）、無線プログラミング手順を介して、操舵ネットワークＩＤを設定することによって、国内ネットワークオペレータは、任意の所望のネットワークに、即座に、効率的にユーザ設備を「操舵」し得る。
【００８３】
図５は、上述した図４のＳＩＭ２６２を利用する自動ネットワーク選択手順のユーザ設備方法を記載する流れ図を示す。ユーザ設備の方法は、コンピュータ可読媒体と、ユーザ設備の１つ以上のプロセッサによって実行可能であるそのコンピュータ可読媒体の中に格納されたプログラム命令とを含むコンピュータプログラム製品として、具現化され得る。図１〜図２および図４と関連して上述したように、ユーザ設備は、移動設備および国内ネットワークＩＤを格納する取り外し可能なメモリモジュールを含み、このモジュールは、優先ローミングネットワークＩＤのリスト、および、操舵ネットワークＩＤを格納する。移動設備は、無線送受信機、その無線送受信機に結合された１つ以上のプロセッサ、および、その方法を実行するその１つ以上のプロセッサに結合された取り外し可能なメモリモジュールインターフェースを有する。
【００８４】
図５の開始ブロック５０２で始まり、ユーザ設備は、少なくとも、国内ネットワークＩＤ、優先ローミングネットワークＩＤのリスト、ならびに、操舵ネットワークＩＤをメモリのストレージをメモリ内で維持する（図５のステップ５０４）。これらネットワークＩＤは、ＳＩＭ内に格納され、また、ＳＩＭまたはＵＳＩＭからコピーもされ、ユーザ設備の他のメモリ（例えば、揮発性メモリまたはＲＡＭ）内に格納され得る。ユーザ設備は、走査動作を実行し、ユーザ設備のカバー範囲エリア内で利用可能な１つ以上の無線通信ネットワークに対応する１つ以上のネットワークＩＤ（ＭＮＣ／ＭＣＣペアのようなＰＬＭＮのＩＤ）を受信する（図５のステップ５０６）。走査動作の後に、ユーザ設備は、自動ネットワーク選択手順を以下の優先順位に従って実行する（図５のステップ５０８）。すなわち、（１）国内ネットワーク（ＨＰＬＭＮ）（または同等のネットワーク）、（２）優先ローミングネットワークのユーザ制御リスト（ユーザ制御ＰＰＬＭＮリスト）、（３）操舵ネットワーク（ＳＰＬＭＮ）、および（４）優先ローミングネットワークのオペレータ制御リスト（オペレータ制御ＰＰＬＭＮリスト）の順である。現行の３ＧＰＰ標準（３ＧＰＰ  ＴＳ  ２３．１２２  Ｖ７．３．０（２００５−０９）のセクション４．４．３．１．１は、ステップ５０８の新たな優先化スキームを反映するために修正され得る。
【００８５】
こうして、ユーザ設備が、ローミング地域でローミング中のとき、ユーザ設備は、利用可能であれば、操舵ネットワークＩＤを用いて、無線通信ネットワークを選択しようと試みる。これは、優先ローミングネットワークのオペレータ制御リストを用いて、無線通信ネットワークを選択する代わりに（または前に）行われる。これを行うとき、ユーザ設備は、走査動作に由来する１つ以上の受信されたネットワークＩＤ（すなわち、１つ以上のＭＮＣ／ＭＣＣのペア）を、操舵ネットワークＩＤ（すなわち、操舵ＭＮＣ／ＭＣＣのペア）と比較する。この比較のアクトによって、この受信されたネットワークＩＤとこの操舵ネットワークＩＤとの間での合致が確認されたら、ユーザ設備は、操舵ネットワークＩＤと合致する受信されたネットワークＩＤに対応する無線通信ネットワークを選択し、登録し得る。
【００８６】
操舵ネットワークＩＤに対応するネットワークが選択された場合、ユーザ設備は、このネットワークを介して、優先的にＰＰＬＭＮリストからネットワークを選択しようと試みない。
【００８７】
操舵ネットワークが利用可能でないこと、あるいは、ユーザ設備が、操舵ネットワークと接続する試みが不成功に終わり得ることも考えられる。この場合、操舵ネットワークＩＤを用いて無線通信ネットワーク選択しようとする試みが不成功に終わった後、ユーザ設備が、優先ローミングネットワークＩＤのリスト（すなわち、オペレータ制御モード）を用いて、無線通信ネットワークを選択しようと試み得る。このユーザ設備が、これを行い得るのは、１つ以上の受信ネットワークＩＤと、優先ローミングネットワークＩＤのリストからのネットワークＩＤとを比較することによってである。１つ以上の受信ネットワークＩＤと、優先ローミングネットワークＩＤのリストからのネットワークＩＤとの間での合致が、比較するアクトで確認されたら、ユーザ設備は、優先ローミングネットワークＩＤと合致する受信ネットワークＩＤに対応する無線通信ネットワークを選択し、登録し得る。
【００８８】
上述のように、優先ローミングネットワークのユーザ制御リスト内のネットワークは、操舵ネットワークよりも優先度が高い。こうして、ユーザ制御ネットワークが指定されたとき、ユーザ設備は、操舵ネットワークＩＤを使用して無線通信ネットワークを選択しようと試みる前に、優先ネットワークＩＤのユーザ制御リストを使用して、無線通信ネットワークを選択しようと試みる。ユーザ設備が、これを行うのは、１つ以上の受信ネットワークＩＤを、優先ネットワークＩＤのユーザ制御リストからのネットワークＩＤと比較することによってである。この比較するアクトによって、この１つ以上の受信ネットワークＩＤと、この優先ネットワークＩＤのユーザ制御リストからのネットワークＩＤとの間での合致が確認されたら、ユーザ設備は、優先ネットワークＩＤのユーザ制御リストからのネットワークＩＤと合致する受信ネットワークＩＤに対応する無線通信ネットワークを選択し、登録し得る。
【００８９】
操舵ネットワークＩＤは、例えば、データファイルまたは適切な操舵ネットワークＩＤフィールドがクリアされた（例えば、ビット０または１に設定された）場合、あるいは、ユーザ設備に格納された指示（例えば、ビットインディケータ）が適切に設定された場合、ユーザ設備に利用不能であると思われる。操舵ネットワークＩＤが、利用不能であると指示された場合、ユーザ設備は、操舵ネットワークＩＤなしに、従来のように動作し得る。ユーザ設備がもはや実行可能でないとき、特に、ユーザ設備が新たなローミング地域または国に入ったとき、ユーザ設備は、操舵ネットワークＩＤに、利用不能として設定される原因となる。例えば、ユーザ設備は、最後にサービスされたネットワークの国と異なる現在の国を同定するための走査動作から国コードを受信し得る。ユーザ設備は、現在の国コードとは異なる国コードの受信に基づいて、操舵ネットワークＩＤをメモリからクリアする（あるいは、ビットインディケータを適切に設定する）ように動作する。この場合、ユーザ設備は、新たな地域に対する新たな更新操舵ネットワークＩＤを必要とし得る。
【００９０】
再び、国内ネットワークオペレータは、無線プログラミング手順（例えば、地域ごとをベースとして）を介してユーザ設備内で、操舵ネットワークＩＤをプログラミングすることによって、任意の所望のネットワークに即座に、効率的にユーザ設備を「操舵」する。ユーザ設備は、メッセージ内の操舵ネットワークＩＤを受信し、メモリ内に操舵ネットワークＩＤを格納し得る。
【００９１】
図６は、操舵ネットワークＩＤを用いて、ユーザ設備を操舵ネットワークに操舵するネットワーク設備の方法を記載する流れ図である。ネットワーク設備の方法は、コンピュータ可読媒体と、ユーザ設備の１つ以上のプロセッサによって実行可能であるそのコンピュータ可読媒体の中に格納されたプログラム命令とを含むコンピュータプログラム製品として、具現化され得る。ネットワーク設備は、そのネットワーク設備にアクセス可能なデータベースを有し得る。このデータベースは、複数の異なる地域とそれぞれ関連する複数の異なる操舵ネットワークＩＤを格納する。図６の方法で利用されるネットワーク設備は、ユーザ設備の国内通信ネットワークである無線通信ネットワークの方法である。
【００９２】
図６の開始ブロック６０２で始まり、ユーザ設備は、国内通信ネットワークの国とは異なるローミング地域または新たな国に入ったばかりである。この状況において、ユーザ設備は、訪問国無線通信ネットワークまたはローミング地域のＶＰＬＭＮに接続され、これを介して、通信中である。このＶＰＬＭＮは、ユーザ設備のオペレータ制御ＶＰＬＭＮ内で指定された優先度の最も高い第一に利用可能なＶＰＬＭＮである可能性が高い。次いで、国内通信ネットワーク設備は、ユーザ設備が複数のローミング地域のうちの１つの地域で動作中であることを同定する（図６のステップ６０４）。ネットワーク機器は、この状況を同定し得る。なぜなら、完全な通信サービスが、ローミング地域にあるユーザ設備にとって利用可能とされる前に、ＶＰＬＭＮは、国内ネットワークで確証を取る必要があり得るからである。ユーザ設備の適切な地域を確認することに応答して、ネットワーク設備は、適切な操舵ネットワークＩＤまたは、ローミング地域と一義的に関連するＳＰＬＭＮを同定または選択する（図６のステップ６０６）。これは、ローミング地域（例えば、国コードまたはＭＣＣ）に基づくデータベースをクエリすることによって、実行され、こうして、ネットワークコード（例えば、ＳＰＬＭＮ／ＶＰＬＭＮのＩＤ）を引き出し得る。
【００９３】
次いで、ネットワーク設備は、ローミング地域の操舵無線通信ネットワークに対応するＳＰＬＭＮのＩＤを含むメッセージを、ユーザ設備内でのＳＰＬＭＮのＩＤをプログラミングするためにＶＰＬＭＮを介して送信されるようにする（図６のステップ６０８）。ＳＰＬＭＮのＩＤを受信したことに応答して、ユーザ設備は、適切なＳＰＬＭＮフィールド（例えば、ＳＩＭまたはＵＳＩＭ）内のＳＰＬＭＮのＩＤをプログラミングする。これは、ＳＰＬＭＮが、その後、即座に、ユーザ設備の自動ネットワーク選択手順によって、選択されるようになされる。つまり、自動ネットワーク選択手順は、ユーザ設備によって実行される。ユーザ設備は、図５の方法による優先ローミングネットワークのリストを使用して、無線通信ネットワークを選択しようとする試みる代わりに（あるいは、試みる前に）、ＳＰＬＭＮを使用して、無線通信ネットワークを選択しようと試みる。
【００９４】
図６のステップ６０８で、ＳＰＬＭＮのＩＤは、任意の適切なメッセージを介して、ユーザ設備に送信され得る。ＳＰＬＭＮは、無線更新ダウンロードまたはプログラミング手順において、ショートメッセージサービス（ＳＭＳ）メッセージを介してユーザ設備に送信されることが好ましい。ＳＭＳメッセージは、ＳＰＬＭＮと関連するＭＮＣ／ＭＣＣのペアをたかだか含むだけなので、オーバーヘッドの低いタイプのメッセージである。代替として、Ｕｎｓｔｒｕｃｔｕｒｅｄ  Ｓｕｐｐｌｅｍｅｎｔａｒｙ  Ｓｅｒｖｉｃｅ  Ｄａｔａ（ＵＳＳＤ）も、ＳＰＬＭＮのＩＤのための運搬役として、利用され得る。他の代替として、ＳＰＬＭＮのＩＤは、以前から存在する、あるいは、新たなＭｏｂｉｌｅ  Ａｐｐｌｉｃａｔｉｏｎ  Ｐａｒｔ（ＭＡＰ）メッセージの中に組み込まれ得る。
【００９５】
他の追加の特徴および技術も、この方法で利用され得る。例えば、「有効性タイマ」が、ＳＰＬＭＮまたはＳＰＬＭＮのフィールドと関連し得る。ＳＰＬＭＮの有効性タイマは、国内ネットワークオペレータによって、プログラミングされ得、ＳＰＬＭＮがユーザ設備によって利用される間の時間であり得る。この特徴を用いて、ユーザ設備は、有効期間の間、ＳＰＬＭＮを用い、次いで、異なるネットワークを利用する。追加または代替として、「選択タイマ」または「選択時間」が、ＳＰＬＭＮまたはＳＰＬＭＮのフィールドと関連し得る。選択タイマは、ＳＰＬＭＮが、所定の時間期限後に選択されるべきことを指示し得るし、選択時間は、ＳＰＬＭＮが、所定の時間または期日に選択されるべきことを指示し得る。ＳＰＬＭＮは、即座に、あるいは、次回の背景走査の期限後に選択されるべきであるという他のインディケータも同様に可能である。これらインディケータの全ては、ＳＰＬＭＮのＩＤに加え、国内ネットワークオペレータによって、プログラミングされ得る。
【００９６】
さらに、図６と関連して記載された方法において、ユーザ設備が動作する地域は、ローミング地域である必要はないことに注意されたい。国内ネットワークオペレータは、その国内ネットワーク地域で動作しているユーザ設備を、例えば、故障状態などの他の条件のために、一時的に異なる非国内ネットワークに操舵する必要があり得る。この場合、操舵ネットワークＩＤは、国内ネットワークＩＤよりも高い優先度を有する。この代替の優先化は、ユーザ設備内で指示され得る。ユーザ設備は、その国内ネットワークオペレータによって、ＳＰＬＭＮのＩＤを再設定または再プログラミングされるまで、その国内地域でＳＰＬＭＮを介して通信する。
【００９７】
代替的なアレンジメントにおいて、ユーザ設備は、国内通信ネットワークに情報を送信することなく、操舵ネットワークＩＤを引き出すことを可能にする情報（例えば、インターネットＵＲＬまたは他）を与えられ得る。ＳＰＬＭＮのＩＤは、ウェブサイト、データベース、あるいは、国内通信ネットワークまたは特定の場合には第三者によって提供される他の情報ストアから引き出され得る。
【００９８】
ユーザ設備は、ＳＰＬＭＮに操舵される必要またはメリットのなさそうなとき、ＳＰＬＭＮに操舵される必要はない。例えば、ユーザ設備は、ＳＰＬＭＮではＧＰＲＳが利用不能であることを確認し得、それゆえ、その代わりに、ＧＰＲＳが利用できるネットワークを選択し得る。この特徴によって、ＳＰＬＭＮがユーザ設備にプログラミングされた後、ユーザ設備がＳＰＬＭＮを選択するリクエストを無視したとの指摘とともに、ユーザ設備は、国内ネットワークオペレータに応答し得る。メッセージは、ユーザ設備がリクエストを無視した複数の理由に対するインディケータをさらに含み得る。
【００９９】
このように、国内ネットワークオペレータは、自国内または海外のいずれかでローミングするとき、その加入者がどのネットワークに接続するかを、容易に動的に制御する必要があり得る。例えば、ＨＰＬＭＮのオペレータは、Ａ国でローミングするその加入者を、ネットワークＸによってサービスされるように方向付ける必要があり得る。これは、異なる国ごとにそれぞれ行われる。特定の場合において、そのローミング加入者の全員が、１つの特定のネットワークに方向付けられることを確保することは、オペレータにとって有益なことであり得る。また、ネットワークの一時的な故障は、ある国において、ＨＰＬＭＮのローミング加入者に、そのサービスの全てを提供できないことを意味し得る。それゆえ、国内ネットワークのオペレータは、そのローミング加入者に、全範囲のサービスを提供し得る国にある他のネットワーク向けるように方向付けする必要があり得る。一例として、ＧＰＲＳが、あるＶＰＬＭＮで、一時的に利用不能になることは、今日、珍しいことではない。このような場合、国内ネットワークオペレータは、利用可能なＧＰＲＳを有するＧＰＲＳにその加入者を方向付ける。
【０１００】
負荷分散について考えると、国内オペレータは、自らが、一国におけるそのローミング加入者の４０％をネットワークＸに、３５％をネットワークＹに、そして、２５％をネットワークＺにしたいと決定し得る。従来技術を用いて、負荷分散を行った場合、国内ネットワークオペレータは、ＰＰＬＭＮリストを加入者ベースで維持しなくてはならない。しかしながら、このようにしてＰＰＬＭＮリストを維持することは、構成管理に関しての処理量を著しく増やすことになる。本特許出願に従うと、国内ネットワークオペレータは、その加入者ごとに異なるオペレータ制御ＰＰＬＭＮリストを維持する必要はなく、むしろ、例えば、ネットワークＸ、ＹおよびＺに対応する異なるＳＰＬＭＮで、異なるユーザ設備をプログラミングする間に、現在の加入者数と関連する各ネットワークＸ、ＹおよびＺの単一のデータベースのリストを維持すればよい。
【０１０１】
ＳＰＬＭＮを使用すると、国内ネットワークオペレータは、ＯＴＡプログラミングメカニズムを使用して、各加入者にＰＰＬＭＮリストの全体を更新する必要はない。この更新には、大量のショートメッセージサービス（ＳＭＳ）メッセージを必要とする。ＯＴＡプログラミングメカニズムまたは他の信号伝達技術を用いると、利用される処理量は、ほんのわずかである。ネットワーク拒絶メッセージでごまかすことをともなう他の従来の解決策は、必要ない。なぜなら、このような選択が必要とされる度ごとに、ネットワークリソースを無駄に使用することをともなうからである。ＳＰＬＭＮのＩＤをプログラミングすることによって、ユーザ設備を適切なＳＰＬＭＮに、即座に効率よく方向付けすることができる。
【０１０２】
最終コメント。「操舵」ＰＬＭＮを使用するユーザ設備によって、無線通信ネットワークを自動的に選択する方法および装置が、記載される。国内ネットワークＩＤ、優先ローミングネットワークＩＤのリスト、および、操舵ネットワークＩＤが、ユーザ設備のメモリ（例えば、ＳＩＭまたはＵＳＩＭ）内に格納される。自動ネットワーク選択手順において、走査動作は、ユーザ設備のカバー範囲エリア内で１つ以上の利用可能な無線通信ネットワークに対応する１つ以上のネットワークＩＤを受信するために実行される。ユーザ設備は、走査動作から受信されたネットワークＩＤを操舵ネットワークＩＤと比較することによって、カバー範囲エリア内の無線通信ネットワークを選択しようと試みる。受信されたネットワークＩＤと操舵ネットワークＩＤとの間での合致が確認された場合、操舵ネットワークＩＤと合致する受信されたネットワークＩＤに対応する無線通信ネットワークが、ユーザ設備によって選択され、登録される。この手順は、ユーザ設備の優先ローミングネットワークＩＤのリストを使用する代わりに（あるいは使用する前に）、実行される。上述のユーザ設備の方法は、コンピュータ可読媒体と、そのユーザ設備の１つ以上のプロセッサによって実行可能であるコンピュータ可読媒体の中に格納されたプログラム命令とを含むコンピュータプログラム製品として、具現化され得る。ユーザ設備は、移動設備および国内ネットワークＩＤを格納する取り外し可能なメモリモジュール、優先ローミングネットワークＩＤのリスト、ならびに、操舵ネットワークＩＤを含む。移動設備は、無線送信機、その無線送信機に結合された１つ以上のプロセッサ、および、その方法を実行するその１つ以上のプロセッサに結合された取り外し可能なメモリモジュールインターフェースを含む。
【０１０３】
必要なときに（例えば、地域ベースで）、無線プログラミング手順を介する操舵ネットワークＩＤを設定することによって、国内ネットワークのオペレータは、ユーザ設備を任意の所望のネットワークに即座に、効率的に「操舵」し得る。無線通信ネットワークのネットワーク設備によって、ユーザ設備を操舵無線通信ネットワークに操舵するのに使用する例示的な技術の一つは、この無線通信ネットワークがユーザ設備の国内通信ネットワークであるとき、ユーザ設備が、複数のローミング地域のうちの１つの地域で動作していることを、そのローミング地域の訪問国無線通信ネットワークを介して確認するアクトと、ローミング地域の操舵無線通信ネットワークに対応する操舵ネットワークＩＤに、訪問国無線通信ネットワークを介してユーザ設備に送信されるようにするアクトであって、こうして、ユーザ設備に対する自動ネットワーク選択手順において、操舵無線通信ネットワークが選択される、アクトとを含む。操舵ネットワークＩＤは、無線プログラミング手順のメッセージ（例えば、ショートメッセージサービス（ＳＭＳ）メッセージ）で送信され得る。上述のネットワーク設備技術は、コンピュータ可読媒体と、そのネットワーク設備の１つ以上のプロセッサによって実行可能であるコンピュータ可読媒体の中に格納されたプログラム命令とを含むコンピュータプログラム製品として、具現化され得る。
【０１０４】
本特許出願の上述の実施形態は、単なる例に過ぎないことが意図される。当業者は、本特許出願の範囲から逸脱することなく、特定の実施形態において、変更、修正およびバリエーションを実行し得る。請求項に記載され、本明細書に開示された発明は、技術における適切な変化を全てカバーし、包含することを意図する。
【図面の簡単な説明】
【０１０５】
本発明の実施形態は、添付図面を参照して、例として、以下に記載される。
【図１】図１は、ユーザ設備および無線通信ネットワークを示すブロック図である。
【図２】図２は、図１の好ましいユーザ設備の付属コンポーネントのより詳細な図である。
【図３】図３は、図１および図２の無線ネットワーク内のユーザ設備に対して、データベース通信サービスを提供するのに役立つシステム構造である。
【図４】図４は、ユーザ設備の加入者識別モジュール（ＳＩＭ）またはユニバーサル加入者識別モジュール（ＵＳＩＭ）内に格納されたネットワークＩＤの図を示す。ＳＩＭまたはＵＳＩＭは、ユーザ設備の動作する現在の地域（例えば、ローミング地域)に対する操舵ネットワークと関連する操舵ネットワークＩＤを含む。
【図５】図５は、操舵ネットワークＩＤを利用する自動ネットワーク選択手順に対するユーザ設備の方法を表わす流れ図である。
【図６】図６は、操舵ネットワークＩＤを使用して、ユーザ設備を操舵ネットワークに操舵するためのネットワーク設備の方法を表わす流れ図である。
【符号の説明】
【０１０６】
１００  通信システム
１０２  移動局
１０４  無線通信ネットワーク
１０６  制御装置
１０８  無線（ＲＦ）送受信回路網
１１０  アンテナ
１１２  ビジュアルディスプレイ
１１４  キーボード
１１６  補助ユーザインターフェース（ＵＩ）
１１８  アンテナ
１２０  基地局制御装置
１２２  在圏ロケーションレジスタ（ＶＬＲ）
１２４  公衆交換電話網（ＰＳＴＮ）
１２６  サービングＧＰＲＳサポートノード（ＳＧＳＮ）
１２８  ゲートウェーＧＰＲＳサポートノード（ＧＧＳＮ）
１３０  公的または民間データネットワーク
１３２  電池
１３４  電池インターフェース
１３６  調整装置
１４０  加入者識別モジュール（ＳＩＭ）
１４２  ＳＩＭインターフェース
４０２  国内ネットワークＩＤ（またはＨＰＬＭＮ）
４０４  優先ローミングネットワークＩＤのユーザ制御リスト
４０６  優先ローミングネットワークＩＤのオペレータ制御リスト
４０８  他のデータファイル
４１０  操舵ネットワークＩＤ
【図１】
0004512602.tif 000002
【図２】
0004512602.tif 000003
【図３】
0004512602.tif 000004
【図４】
0004512602.tif 000005
【図５】
0004512602.tif 000006
【図６】
0004512602.tif 000007